(57)【要約】【課題】仮想空間が出会い系サイト等として悪用されるのを防止する技術を提供する。【解決手段】他の携帯端末装置（仮想空間参加者Ｓが用いる携帯端末装置）１０ｂは、一つの携帯端末装置（仮想空間開設者Ｋが用いる）１０ａと近距離通信を行うことによって、仮想空間ｎに入場する際に用いる入場許可情報Ｎを携帯端末装置１０ａから直接に受信する。携帯端末装置１０ａ、１０ｂは、入場許可情報Ｎを含む仮想空間ｎへの入場要求情報を、携帯無線通信装置を用いて管理装置８０に送信する。管理装置８０は、受信した仮想空間ｎへの入場要求情報に含まれている入場許可情報Ｎが、入場許可情報データベース９１に仮想空間ｎに対応して記憶されている入場許可情報Ｎと一致することにより、携帯端末装置１０ａ、１０ｂの仮想空間ｎへの入場を許可する。【選択図】図１
2009146139.tif 000002
【特許請求の範囲】
【請求項１】
管理装置により管理され、一つの携帯端末装置の入場が許可されている仮想空間に、一つの携帯端末装置以外の他の携帯端末装置を入場させる通信装置であって、
一つの携帯端末装置および他の携帯端末装置は、携帯無線通信回線を介して管理装置に接続する携帯無線通信装置と、携帯無線通信回線とは異なる近距離通信回線を介して携帯端末装置間を接続する近距離通信装置を有しており、
他の携帯端末装置は、一つの携帯端末装置との間で近距離通信装置を用いた近距離通信が行われないと仮想空間への入場が許可されないように構成されている
ことを特徴とする通信装置。
【請求項２】
請求項1に記載の通信装置であって、
入場許可情報を仮想空間に対応して記憶する管理用記憶装置を備え、
一つの携帯端末装置は、近距離通信装置を用いて情報を送信し、また、記憶している入場許可情報を含む仮想空間への入場要求情報を、携帯無線通信装置を用いて管理装置に送信し、
他の携帯端末装置は、近距離通信装置を用いて情報を受信し、受信した情報を用いて管理用記憶装置に仮想空間に対応して記憶されている入場許可情報を受信し、受信した入場許可情報を含む仮想空間への入場要求情報を、携帯無線通信装置を用いて管理装置に送信し、
管理装置は、入場許可情報を含む仮想空間への入場要求情報を受信した場合には、受信した仮想空間への入場要求情報に含まれている入場許可情報が、入場が要求された仮想空間に対応して管理用記憶装置に記憶されている入場許可情報と一致することにより、当該仮想空間への入場要求情報を送信した携帯端末装置の当該仮想空間への入場を許可する
ことを特徴とする通信装置。
【請求項３】
請求項２に記載の通信装置であって、
一つの携帯端末装置は、近距離通信装置を用いて認証情報を送信し、
他の携帯端末装置は、近距離通信装置を用いて認証情報を受信し、携帯無線通信装置を用いて、受信した認証情報を含む仮想空間の入場許可情報送信要求情報を管理装置に送信するとともに、入場許可情報を管理装置から受信し、
管理装置は、認証情報を含む仮想空間の入場許可情報送信要求情報を受信した場合には、受信した仮想空間の入場許可情報送信要求情報に含まれている認証情報が正しいことを判別したことにより、入場許可情報の送信が要求された仮想空間に対応して管理用記憶装置に記憶されている入場許可情報を当該仮想区間の入場許可情報送信要求情報を送信した携帯端末装置に送信する
ことを特徴とする通信装置。
【請求項４】
請求項１に記載の通信装置であって、
入場許可情報を仮想空間に対応して記憶する管理用記憶装置を備え、
一つの携帯端末装置は、記憶している入場許可情報を含む仮想空間への入場要求情報を、携帯無線通信装置を用いて管理装置に送信し、
他の携帯端末装置は、一つの携帯端末装置との間の近距離通信装置を用いた通信によって伝送され、管理用記憶装置に仮想空間に対応する入場許可情報として記憶される情報を入場許可情報として含む仮想空間への入場要求情報を、携帯無線通信装置を用いて管理装置に送信し、
管理装置は、入場許可情報を含む仮想空間への入場要求情報を受信した場合には、受信した仮想空間への入場要求情報に含まれている入場許可情報が、入場が要求された仮想空間に対応して管理用記憶装置に記憶されている入場許可情報と一致することにより、当該仮想空間への入場要求情報を送信した携帯端末装置の当該仮想空間への入場を許可する
ことを特徴とする通信装置。
【請求項５】
請求項４に記載の通信装置であって、
一つの携帯端末装置は、記憶している入場許可情報を、近距離通信装置を用いて送信し、
他の携帯端末装置は、近距離通信装置を用いて入場許可情報を受信し、また、受信した入場許可情報を含む仮想空間への入場要求情報を、携帯無線通信装置を用いて管理装置に送信する
ことを特徴とする通信装置。
【請求項６】
請求項４に記載の通信装置であって、
一つの携帯端末装置は、近距離通信装置を用いて端末識別情報を受信し、受信した端末識別情報を入場許可情報として含む仮想空間の入場許可情報作成要求情報を、携帯無線通信装置を用いて管理装置に送信し、
他の携帯端末装置は、近距離通信装置を用いて当該他の携帯端末装置の端末識別情報を送信し、また、当該他の携帯端末装置の端末識別情報を入場許可情報として含む仮想空間への入場要求情報を、携帯無線通信装置を用いて管理装置に送信し、
管理装置は、一つの携帯端末装置から入場許可情報を含む仮想空間の入場許可情報作成要求情報を受信した場合には、受信した仮想空間の入場許可情報作成要求情報に含まれている入場許可情報を、入場許可情報の作成が要求された仮想空間に対応させて管理用記憶装置に記憶する
ことを特徴とする通信装置。
【請求項７】
請求項１に記載の通信装置であって、
入場許可情報を仮想空間に対応して記憶する管理用記憶装置を備え、
一つの携帯端末装置は、近距離通信装置を用いて認証情報を送信し、また、記憶している入場許可情報を含む仮想空間への入場要求情報を、携帯無線通信装置を用いて管理装置に送信し、
他の携帯端末装置は、近距離通信装置を用いて認証情報を受信し、受信した認証情報と当該他の携帯端末装置の端末識別情報を入場許可情報として含む仮想空間の入場許可情報作成要求情報を、携帯無線通信装置を用いて管理装置に送信し、また、当該他の携帯端末装置の端末識別情報を入場許可情報として含む仮想空間への入場許可情報を、携帯無線通信装置を用いて管理装置に送信し、
管理装置は、認証情報と入場許可情報を含む仮想空間の入場許可情報作成要求情報を受信した場合には、受信した仮想空間の入場許可情報作成要求情報に含まれている認証情報が正しいことを判別したことにより、受信した仮想空間の入場許可情報作成要求情報に入場許可情報として含まれている端末識別情報を、入場許可情報の作成が要求された仮想空間に対応する入場許可情報として管理用記憶装置に記憶し、また、入場許可情報を含む仮想空間への入場要求情報を受信した場合には、受信した仮想空間への入場要求情報に含まれている入場許可情報が、入場が要求された仮想空間に対応して管理用記憶装置に記憶されている入場許可情報と一致することにより、当該仮想空間への入場要求情報を送信した携帯端末装置の当該仮想空間への入場を許可する
ことを特徴とする通信装置。
【発明の詳細な説明】
【技術分野】
【０００１】
本発明は、管理装置が管理している仮想空間内において複数の端末装置が通信を行う通信装置に関する。
【背景技術】
【０００２】
端末装置間で通信を行う通信装置として、端末装置が電話回線等の広域通信回線を介して接続可能なサーバ上に複数の仮想空間を設け、このサーバ上の仮想空間を複数の端末装置で共有することによって複数の端末装置間で種々の通信（コミュニケーション）を行う通信装置が提案されている（特許文献１参照）。このような通信装置では、例えば、ユーザは、端末装置を用いて適宜のタイミングで仮想空間に入場し、仮想空間内の掲示板等に文字や文章を書き込み、あるいは、他のユーザが掲示板等に書き込んだ文字や文章を読むことができる。これにより、時間に束縛されずにユーザ同士の会話を楽しむことができる。また、複数のユーザが端末装置を用いて同時に仮想空間に入場することにより、テキストデータ形式の会話やアバタと呼ばれるユーザの分身の表示や動きによる会話をリアルタイムで行うこともできる（「チャット」と呼ばれている）。なお、特許文献１に開示されている通信装置では、仮想空間を占有するユーザ（仮想空間を開設したユーザ）は、この仮想空間に入場可能なユーザを登録することによって、仮想空間へのユーザの入場を制限することができる。
【特許文献１】特開２００２−１４０２７８号公報
【発明の開示】
【発明が解決しようとする課題】
【０００３】
携帯電話機の普及にともない、携帯電話機を用いて前記仮想空間への入場を可能とする通信装置が提案されている。携帯電話機を用いて仮想空間に入場可能とすることにより、ユーザは、場所やタイミングに束縛されずに仮想空間に入場することができるため、ユーザ同士の会話をより楽しむことができる。
ところで、互いに見知らぬユーザであっても仮想空間に入場することができるため、仮想空間が、見知らぬユーザ同士の出会いの目的のためのサイト（「出会い系サイト」と呼ばれている）等に悪用される虞がある。特許文献１に開示されている通信装置では、仮想空間を占有する（仮想空間を開設した）ユーザによって、仮想空間に入場可能なユーザを制限することができる。しかしながら、仮想空間を占有するユーザが許可すれば、仮想空間を占有するユーザが見知らぬユーザであっても仮想空間への入場が可能となるため、仮想空間を出会い系サイト等に悪用されるのを防止することができない。
本発明は、このような点に鑑みて創案されたものであり、仮想空間を開設した者（開設者）と実際に出会った者のみがこの仮想空間への入場が許可される技術を提供することによって、仮想空間が出会い系サイト等として悪用されるのを防止することを目的とする。
【課題を解決するための手段】
【０００４】
前記課題を解決するための、本発明の第１発明は、管理装置により管理され、一つの携帯端末装置の入場が許可されている仮想空間に、一つの携帯端末装置以外の他の携帯端末装置を入場させて通信を行う通信装置に関する。本発明の「通信装置」は、仮想空間に同時に入場している複数の携帯端末装置のいずれかの携帯端末装置から他の携帯端末装置にリアルタイムに通信情報を送受信することができる通信装置や、いずれかの携帯端末装置が仮想空間に入場して仮想空間の掲示板等への文字や文章の書き込みあるいは掲示板等に書き込まれている文字や文章の読み取りを行うことができる通信装置等を包含する。
典型的には、一つの携帯端末装置は、仮想空間を開設した仮想空間開設者が用いる携帯端末装置が対応し、他の携帯端末装置は、仮想空間内での会話に参加する仮想空間参加者が用いる携帯端末装置が対応する。また、本発明の通信装置では、一つの携帯端末装置は、他の携帯端末装置と近距離通信を行うことなく、記憶手段に記憶されている入場許可情報を用いて仮想空間に入場することができるように構成されている。
一つの携帯端末装置および他の携帯端末装置は、携帯無線通信回線を介して管理装置に接続する携帯無線通信装置と、携帯無線通信回線とは異なる近距離通信回線を介して携帯端末装置間を接続する近距離通信装置を有している。携帯無線通信装置には、例えば、携帯電話機で用いられている、携帯用無線通信回線を介して基地局との間で通信を行う無線通信装置等が包含される。「近距離通信装置」は、近距離通信を行う携帯端末装置それぞれを携帯している所有者が、通信相手を互いに目で確認することができる距離（例えば、数メートル）内で、携帯無線通信装置が使用する携帯無線通信回線と異なる近距離通信回線を介して直接に携帯端末装置間で近距離通信を行う通信装置を意味する。例えば、赤外線等の光を用いて通信を行う通信装置（例えば、ＩｒＤＡ）、通信範囲が数メートル以内である微弱な電波を用いる通信装置（例えば、ブルートゥース、ＲＦＩＤ）、数メートル以内の長さの信号線を用いた通信装置等を用いることができる。
本発明では、一つの携帯端末装置以外の他の携帯端末装置は、一つの携帯端末装置との間で近距離通信装置を用いた近距離通信が行われないと仮想空間への入場が許可されないように構成されている。他の携帯端末装置が一つの携帯端末装置との間で近距離通信を行ったことは、例えば、他の携帯端末装置が、一つの携帯端末装置によって発行された認証情報を近距離通信によって受信していることによって判別することができる。また、他の携帯端末装置と一つの携帯端末装置との間での近距離通信によって伝送された情報が仮想空間に入場する際に用いられる入場許可情報として作成（登録）されていることによって判別することもできる。
一つの携帯端末装置の近距離通信装置と他の携帯端末装置の近距離通信装置との間で近距離通信を行う方法としては、適宜の方法を用いることができる。例えば、一つの携帯端末装置と他の携帯端末装置との間の距離が、一つの携帯端末装置の近距離通信装置と他の携帯端末装置の近距離通信装置の間で近距離通信を行うことができる距離（近距離通信領域）となるように一つの携帯端末装置と他の携帯端末装置を配置した状態で、一つの携帯端末装置の近距離通信装置および他の携帯端末装置の近距離通信装置を動作させる信号を入力する方法を用いることができる。この時、一方の近距離通信装置から他方の近距離中心装置への情報の伝送が自動的に行われるように構成してもよいし、情報を送信する側の携帯端末装置では、送信する情報を選択するとともに送信動作の実行を指示する信号を入力し、情報を受信する側の携帯端末装置では、受信動作の実行を指示する信号を入力する方法を用いることもできる。
本発明では、他の携帯端末装置との間で近距離通信を行うことなく仮想空間への入場が許可されている一つの携帯端末装置以外の他の携帯端末装置は、一つの携帯端末装置との間で近距離通信装置を用いた近距離通信が行われないと仮想空間への入場が許可されないように構成されているため、他の携帯端末装置を用いるユーザ（例えば、仮想空間内での会話に参加する仮想空間参加者）は、一つの端末装置を用いるユーザ（例えば、仮想空間を開設した仮想空間開設者）と実際に出会っていなければ仮想空間に入場することができない。これにより、仮想空間が出会い系サイト等として悪用されるのを防止することができる。
【０００５】
他の携帯端末装置が一つの携帯端末装置との間で近距離通信を行ったことは、例えば、第２発明のように構成することによって判別することができる。
第２発明では、仮想空間に入場するのに必要な入場許可情報を仮想空間に対応して記憶する管理用記憶装置を備えている。
一つの携帯端末装置は、近距離通信装置を用いて情報を送信する。近距離通信装置を用いて一つの携帯端末装置から送信する情報としては、例えば、発行元を認証可能な認証情報が用いられる。また、一つの携帯端末装置は、仮想空間に入場する時には、記憶手段に記憶されている入場許可情報を含む仮想空間への入場要求情報を、携帯無線通信装置を用いて管理装置に送信する。
他の携帯端末装置は、近距離通信装置を用いて、一つの携帯端末装置の近距離通信装置から送信された情報を受信する。また、他の携帯端末装置は、近距離通信によって受信した情報を用いて、管理用記憶装置に仮想空間に対応して記憶されている入場許可情報を受信する。例えば、認証情報が用いられている情報を含む仮想空間の入場許可情報送信要求情報を管理装置に送信することによって、管理用記憶装置に仮想空間に対応して記憶されている入場許可情報を管理装置から受信する。そして、他の携帯端末装置は、仮想空間に入場する際には、受信した入場許可情報を含む仮想空間への入場要求情報を、携帯無線通信装置を用いて管理装置に送信する。
本発明では、他の携帯端末装置が一つの携帯端末装置と近距離通信を行ったことを証明する情報として、仮想空間の入場許可情報を伝送していないため、一つの携帯端末装置を用いるユーザと直接に出会っていないユーザに入場許可情報が漏洩する虞がない。
【０００６】
他の携帯端末装置が、一つの携帯帯端末装置との間の近距離通信によって一つの携帯端末装置から受信した情報を用いて、仮想空間の入場許可情報を受信するには、例えば、第３発明のように構成することができる。
第３発明では、一つの携帯端末装置は、近距離通信装置を用いて認証情報を送信する。認証情報としては、例えば、一つの携帯端末装置によって発行されたことを確認することができる認証情報や管理装置によって発行されたことを確認することができる認証情報を用いることができる。例えば、一つの携帯端末装置や管理装置が秘密鍵と公開鍵を有している場合には、秘密鍵を用いて暗号化された暗号情報を認証情報として用いることができる。あるいは、一つの携帯端末装置や管理装置の端末識別情報を認証情報として用いることができる。あるいは、一つの携帯端末装置や管理装置に対して公的な認証機関によって付与された認証情報を用いることができる。管理装置の認証情報を用いる場合には、管理装置の認証情報を管理装置から受信して一つの携帯端末装置の記憶手段に記憶しておく方法、あるいは、必要な時に管理装置から管理装置の認証情報を受信する方法を用いることができる。
他の携帯端末装置は、近距離通信装置を用いて、一つの携帯端末の近距離通信装置から送信された認証情報を受信する。また、携帯無線通信装置を用いて、受信した認証情報を含む仮想空間の入場許可情報管理装置に送信するとともに、管理装置から送信された仮想空間の入場許可情報を受信する。そして、他の携帯端末装置は、仮想空間に入場する時には、管理装置から受信した入場許可情報を含む仮想空間の入場要求情報を、携帯無線通信装置を用いて管理装置に送信する。
管理装置は、認証情報を含む仮想空間の入場許可情報送信要求情報を受信した場合には、受信した仮想空間の入場許可情報送信要求情報に含まれている認証情報が正しいことを判別したことにより、入場許可情報の送信が要求された仮想空間に対応して管理用記憶装置に記憶されている入場許可情報を当該仮想区間の入場許可情報送信要求情報を送信した携帯端末装置に送信する。認証情報が正しいか否か判別する方法としては、認証情報に対応した適宜の方法を用いることができる、例えば、認証情報として一つの携帯端末装置や管理装置の秘密鍵を用いて暗号化された暗号情報を認証情報として用いている場合には、秘密鍵に対応する公開鍵を用いて暗号情報を復号化することができるか否かを判別する。暗号情報を復号化することができたことにより認証情報が正しいこと（一つの携帯端末装置や管理装置によって発行されたことを）を確認することができる。あるいは、認証情報として一つの携帯端末装置や管理装置の端末識別情報を用いている場合には、認証情報が一つの携帯端末装置や管理装置の端末識別情報と一致するか否かを判別する。一致することにより認証情報が正しいことを確認することができる。そして、受信した仮想空間の入場許可情報送信要求情報に含まれている認証情報が正しいことを確認した場合には、入場許可情報の送信が要求された仮想空間に対応して管理用記憶装置に記憶されている入場許可情報を携帯端末装置に送信する。
本発明では、他の携帯端末装置は、一つの携帯端末装置との間での近距離通信によって認証情報を受信し、受信した認証情報を用いて仮想空間の入場許可情報の送信を管理装置に要求し、管理装置から仮想空間の入場許可情報を受信しなければ、仮想空間に入場することができない。このため、仮想空間が出会い系サイト等として悪用されるのをより確実に防止することができる。また、近距離通信では入場許可情報を伝送していないため、一つの携帯端末装置を用いるユーザ（例えば、仮想空間を開設した仮想空間開設者）と直接に出会っていないユーザに入場許可情報が漏洩する虞がない。
【０００７】
また、他の携帯端末装置が一つの携帯端末装置との間で近距離通信を行ったことは、例えば、第４発明のように構成することによって判別することができる。
第４発明では、仮想空間に入場するのに必要な入場許可情報を仮想空間に対応して記憶する管理用記憶装置を備えている。
一つの携帯端末装置は、仮想空間に入場する時には、記憶手段に記憶されている入場許可情報を含む仮想空間への入場要求情報を、携帯無線通信装置を用いて管理装置に送信する。
他の携帯端末装置は、一つの携帯端末装置との間の近距離通信装置を用いた通信によって伝送され、管理用記憶装置に仮想空間に対応する入場許可情報として記憶される情報を入場許可情報として含む仮想空間への入場要求情報を、携帯無線通信装置を用いて管理装置に送信する。
管理装置は、入場許可情報を含む仮想空間への入場要求情報を受信した場合には、受信した仮想空間への入場要求情報に含まれている入場許可情報が、入場が要求された仮想空間に対応して管理用記憶装置に記憶されている入場許可情報と一致することにより、当該仮想空間への入場要求情報を送信した携帯端末装置の当該仮想空間への入場を許可する。
本発明では、近距離通信によって伝送した情報を仮想空間の入場許可情報として用いることができるため、他の携帯端末装置の処理が簡単となる。
【０００８】
一つの携帯端末装置と他の携帯端末装置との間の近距離通信によって伝送する情報および情報の伝送方向は適宜設定することができる。例えば、第５発明のように設定することができる。
第５発明では、管理用記憶装置に仮想空間に対応して記憶されている入場許可情報を、一つの携帯端末装置から他の携帯端末装置に伝送する。すなわち、一つの携帯端末装置は、記憶している入場許可情報を、近距離通信装置を用いて送信する。また、他の携帯端末装置は、近距離通信装置を用いて入場許可情報を受信する。そして、他の携帯端末装置は、仮想空間に入場する時には、受信した入場許可情報を含む仮想空間への入場要求情報を、携帯無線通信装置を用いて管理装置に送信する。
本発明では、他の携帯端末装置は、一つの携帯端末装置との間での近距離通信によって伝送された入場許可情報を用いて仮想空間に入場することができるため、一つの携帯端末装置および他の携帯端末装置の処理が簡単となる。
【０００９】
また、一つの携帯端末装置と他の携帯端末装置との間の近距離通信によって伝送する情報および情報の伝送方向は、例えば、第６発明のように設定することができる。
第６発明では、他の携帯端末装置から一つの携帯端末装置に情報を伝送する。すなわち、他の携帯端末装置は、近距離通信装置を用いて情報を一つの携帯端末装置に伝送する。他の携帯端末装置から一つの携帯端末装置に伝送する情報としては、例えば、他の携帯端末装置の端末識別情報を用いることができる。一つの携帯端末装置は、近距離通信装置を用いて情報を受信すると、受信した情報を入場許可情報として含む仮想空間の入場許可情報作成要求情報を、携帯無線通信装置を用いて管理装置に送信する。管理装置は、一つの携帯端末装置から入場許可情報を含む仮想空間の入場許可情報作成要求情報を受信した場合には、受信した仮想空間の入場許可情報作成要求情報に含まれている入場許可情報を、入場許可情報の作成が要求された仮想空間に対応させて管理用記憶装置に記憶する。入場許可情報作成要求情報が一つの携帯端末装置から送信されたものであることは、例えば、入場許可情報作成要求情報を送信した携帯端末装置の端末識別情報が、一つの携帯端末装置の端末識別情報と一致することによって判別することができる。他の携帯端末装置は、仮想空間に入場する時には、一つの携帯端末装置に近距離通信によって伝送した情報を含む仮想空間への入場要求情報を、携帯無線通信装置を用いて管理装置に送信する。
本発明では、他の携帯端末装置は、他の携帯端末装置で設定した情報（例えば、他の携帯端末装置の端末識別情報）を仮想空間の入場許可情報として用いることができるため、他の携帯端末装置の処理が簡単となる。
【００１０】
また、他の携帯端末装置が一つの携帯端末装置との間で近距離通信を行ったことは、例えば、第７発明のように構成することによって判別することができる。
第７発明では、仮想空間に入場するのに必要な入場許可情報を仮想空間に対応して記憶する管理用記憶装置を備えている。
一つの携帯端末装置は、近距離通信装置を用いて認証情報を送信する。近距離津新装置を用いて送信する認証情報としては、例えば、前述した認証情報を用いることができる。そして、一つの携帯端末装置は、仮想空間に入場する時には、記憶手段に記憶している入場許可情報を含む仮想空間への入場要求情報を、携帯無線通信装置を用いて管理装置に送信する。
他の携帯端末装置は、近距離通信装置を用いて、一つの携帯端末装置の近距離通信装置から送信された認証情報を受信する。また、受信した認証情報と当該他の携帯端末装置の端末識別情報を入場許可情報として含む仮想空間の入場許可情報作成要求情報を、携帯無線通信装置を用いて管理装置に送信する。そして、他の携帯端末装置は、仮想空間に入場する時には、当該他の携帯端末装置の端末識別情報を入場許可情報として含む仮想空間への入場許可情報を、携帯無線通信装置を用いて管理装置に送信する。
管理装置は、認証情報と入場許可情報を含む仮想空間の入場許可情報作成要求情報を受信した場合には、受信した仮想空間の入場許可情報作成要求情報に含まれている認証情報が正しいか否かを判別する。認証情報が正しいか否かを判別する方法としては、例えば、前述した方法を用いることができる。そして、認証情報が正しいことを判別したことにより、受信した仮想空間の入場許可情報作成要求情報に入場許可情報として含まれている端末識別情報を、入場許可情報の作成が要求された仮想空間に対応する入場許可情報として管理用記憶装置に記憶する。また、管理装置は、入場許可情報を含む仮想空間への入場要求情報を受信した場合には、受信した仮想空間への入場要求情報に含まれている入場許可情報が、入場が要求された仮想空間に対応して管理用記憶装置に記憶されている入場許可情報と一致することにより、当該仮想空間への入場要求情報を送信した携帯端末装置の当該仮想空間への入場を許可する。
本発明では、他の携帯端末装置は、近距離通信装置によって、一つの携帯端末装置から認証情報を受信し、受信した認証情報を用いて当該他の端末装置の端末識別情報を仮想空間の入場許可情報として作成することを管理装置に要求する。これにより、仮想空間が出会い系サイト等として悪用されるのをより確実に防止することができる。また、近距離通信では入場許可情報を伝送していないため、一つの携帯端末装置を用いるユーザ（例えば、仮想空間を開設した仮想空間開設者）と直接に出会っていないユーザに入場許可情報が漏洩する虞がない。
【発明の効果】
【００１１】
第１発明〜第７発明では、一つの携帯端末装置を用いるユーザ（例えば、仮想空間開設者）と実際に出会ったユーザのみがこの仮想空間への入場が許可されるため、仮想空間が出会い系サイト等として悪用されるのを防止することを目的とする。
【発明を実施するための最良の形態】
【００１２】
以下に、本発明の実施の形態を、図面を参照して説明する。
本発明の通信装置の第１の実施の形態の概略構成を図１に示す。
本実施の形態の通信装置は、携帯端末装置１０ａ、１０ｂ、基地局３０ａ、３０ｂ、制御局６０、管理装置８０等により構成されている。なお、図１には、携帯端末装置１０ａ、１０ｂと基地局３０ａ、３０ｂのみが示されているが、携帯端末装置や基地局の数はこれに限定されない。
携帯端末装置１０ａ、１０ｂとしては、携帯電話機や携帯情報端末装置等が用いられる。携帯端末装置１０ａ、１０ｂは同じ構成であるため、携帯端末装置１０ａの構成について説明する。携帯端末装置１０ａは、端末用処理手段１１ａ、液晶表示装置等の表示手段１２ａ、キーボードやタッチスイッチあるいは記憶媒体に記憶されている情報を読み取る情報読取手段等の入力手段１３ａ、ＲＯＭやＲＡＭ等の記憶手段１４ａ、端末用携帯無線通信手段１５ａ、アンテナ１６ａ、近距離通信手段１７ａ、送受信器１８ａ等を有している。
本実施の形態で用いる携帯端末装置１０ａは、２種類の通信装置を備えている。すなわち、端末用携帯無線通信手段１５ａとアンテナ１６ａによって構成される携帯無線通信装置（第１の通信装置）と、近距離通信手段１７ａと送受信器１８ａによって構成される近距離通信装置（第２の通信装置）を備えている。
携帯無線通信装置（第１の通信装置）は、基地局２０、３０の携帯無線通信領域内で、携帯無線通信回線２０を介して基地局３０ａ、３０ｂ（さらには、制御局６０を介して他の携帯電話機や管理装置６０）と通信を行う。通常の携帯電話機では、基地局２０、３０の携帯無線通信領域は２〜３Ｋｍ程度である。
近距離通信装置（第２の通信装置）は、携帯無線通信回線２０を使用しないで、近距離通信領域内で、近距離通信回線４０を介して携帯端末装置同士で直接に通信を行う。本実施の形態では、近距離通信装置として、近距離通信装置を用いて通信を行うことができる通信距離（近距離通信領域）が、直接に通信を行う携帯端末装置３０ａ、３０ｂそれぞれを携帯しているユーザが互いに相手を目で確認することができる距離以内である通信装置が用いられる。例えば、通信距離（近距離通信領域）が、数メートル以内である通信装置が用いられる。近距離通信装置としては、例えば、赤外線等の光信号を発光および受光する発光／受光器を送受信器１８ａとして用い、光信号によって形成される近距離通信回線４０を介して通信を行う通信装置（例えば、ＩｒＤＡ）を用いることができる。あるいは、微弱な電波を送信および受信するアンテナを送受信器１８ａとして用い、通信可能距離が数メートル以下である微弱な電波によって形成される近距離通信回線４０を介して通信を行う通信装置（例えば、ブルートゥース、ＲＦＩＤ）を用いることができる。あるいは、電気信号を送信あるいは受信する入力／出力端子を送受信器１８ａとして用い、数メートル以内の信号線（ケーブル）によって形成される近距離通信回線４０を介して通信を行う通信装置を用いることができる。
記憶手段１４ａには、処理プログラムや、携帯端末装置１０ａの端末識別情報（端末ＩＤ）等が記憶されている。また、携帯無線通信回線２０や近距離通信回線４０を介して受信した仮想空間の入場許可情報や認証情報等が記憶される。
【００１３】
基地局３０ａ、３０ｂは同じ構成であるため、基地局３０ａの構成について説明する。基地局３０ａは、基地局用携帯無線通信手段３１ａとアンテナ３２ａ等を有している。基地局用携帯無線通信手段３１ａとアンテナ３２によって基地局用携帯無線通信装置が構成されている。基地局用携帯無線通信装置は、携帯無線通信回線２０を介して携帯端末装置１０ａの端末用携帯無線通信装置（端末用携帯無線通信手段１５ａとアンテナ１６ａ）と通信を行う。基地局３０ａは、電話回線５０を介して制御局６０に接続されている。基地局３０ａは、制御局６０と電話回線５０を介して通信を行うための基地局用電話回線通信装置を有している。
制御局６０は、基地局３０ａ、３０ｂと電話回線５０を介して通信を行うための制御局用電話回線通信装置を有している。また、制御局６０は、インターネット回線７０を介して管理装置８０と通信を行うためのインターネット通信装置を有している。制御局６０は、携帯無線通信回線２０、電話回線５０やインターネット通信回線等の広域通信回線を介した携帯端末装置１０ａ、１０ｂ間の通信や、携帯端末装置１０ａ、１０ｂと管理装置８０との間の通信を制御する。
なお、携帯端末装置１０ａ、１０ｂと管理装置８０とを接続する通信回線は、図１に示した通信回線に限定されない。
【００１４】
管理装置８０は、複数の仮想空間を管理しており、管理用処理手段８１、入場許可判別手段８２、認証手段８３を有している。
管理用処理手段８１は、仮想空間内における種々の処理を実行する。例えば、仮想空間内に入場している複数の携帯端末装置間の会話情報の中継処理や、仮想空間に設けられている掲示板等への携帯端末装置による情報の書き込み処理や掲示板に書き込まれている情報の携帯端末装置による読み取り処理を支援する。
入場許可判別手段８２は、携帯端末装置１０ａ、１０ｂの仮想空間への入場を許可するか否かを判別する。本実施の形態では、携帯端末装置１０ａ、１０ｂから送信された、入場許可情報を含む仮想空間への入場要求情報を受信した場合、受信した仮想空間への入場要求情報に含まれている入場許可情報が、管理用記憶装置９０の入場許可情報データベース９１に、入場が要求された仮想空間に対応して記憶されている入場許可情報と一致しているか否かを判別する。そして、一致していることを判別すると、仮想空間への入場要求情報を送信した携帯端末装置１０ａ、１０ｂの当該仮想空間への入場を許可し、一致していないことを判別すると、仮想空間への入場要求情報を送信した携帯端末装置の当該仮想空間への入場を許可しない。なお、入場許可判別手段８２は、仮想空間に入場する際に必要な入場許可情報の作成処理や、入場許可情報を管理用記憶装置９０の入場許可情報データベース９１に記憶する処理等も実行する。入場許可情報の作成処理や記憶処理は、管理用処理手段９１等が実行してもよい。
認証手段８３は、携帯端間装置１０ｂから送信された認証情報を受信した場合、管理用記憶装置９０の認証処理情報データベース９２に記憶されている認証処理情報を用いて、受信した認証情報が正しいか否かを判別する。例えば、認証情報が携帯端末装置１０ａから発行されたものであるか否か、あるいは、認証情報が管理装置８０から発行されたものであるか否かを判別する。認証情報が正しいか否かを判別する方法（認証方法）としては、種々の公知の方法を用いることができる。例えば、秘密鍵に対応する公開鍵を認証処理情報データベース９２に記憶しておく。そして、秘密鍵で暗号化された暗号情報を含む認証情報を受信した場合、認証処理情報データベース９２に記憶されている暗号鍵に対応する公開鍵を用いて、認証情報に含まれている暗号情報を復号化する。暗号情報を復号化することができたことにより認証情報が正しいことを判別し、復号化することができなかったことによりに認証情報が正しくないことを判別する。あるいは、携帯端末装置の端末識別情報を認証処理情報データベース９２に記憶しておく。そして、端末識別情報を含む認証情報を受信した場合、認証情報に含まれている端末識別情報と認証処理情報データベース９２に記憶されている端末識別情報を比較する。認証情報に含まれている端末識別情報が認証処理情報データベース９２に記憶されている端末識別情報と一致することにより認証情報が正しいことを判別し、一致しないことにより認証情報が正しくないことを判別する。
管理装置８０がアクセス可能な記憶装置９０は、入場許可情報データベース９１と認証処理情報データベース９２を有している。入場許可情報データベース９１には、仮想空間に入場する際に必要な入場許可情報が仮想空間に対応して記憶される。入場許可情報としては、携帯端末装置の端末識別情報等の種々の情報を用いることができる。認証処理情報データベース９２には、認証情報が正しいか否かを判別するために用いられる認証処理情報が記憶されている。認証処理情報としては、例えば、秘密鍵に対応する公開鍵、携帯端末装置の端末識別情報等の種々の情報を用いることができる。
【００１５】
次に、本実施の形態の動作を以下に説明する。
なお、以下の各実施の形態では、開設者Ｋによって開設された仮想空間ｎ内において、仮想空間ｎを開設した開設者Ｋ（以下、「仮想空間開設者Ｋ」という）が用いる携帯端末装置１０ａと、仮想空間ｎ内での通信（あるいは会話）に参加する参加者Ｓ（以下、「仮想空間参加者Ｓ」という）が用いる携帯端末装置１０ｂの間で通信を行う場合について説明する。仮想空間ｎ内での通信に参加する他の参加者は、仮想空間参加者Ｓと同様の操作を行う。
また、仮想空間開設者Ｋは、仮想空間開設者Ｋが用いる携帯端末装置１０ａの近距離通信装置と仮想空間参加者Ｓが用いる携帯端末装置１０ｂの近距離通信装置との間で近距離通信を行うための近距離通信アプリケーション（近距離通信プログラム）を、管理装置８０から携帯端末装置１０ａにダウンロードするものとする。同様に、仮想空間参加者Ｓは、仮想空間参加者Ｓが用いる携帯端末装置１０ｂの近距離通信装置と仮想空間開設者Ｋが用いる携帯端末装置１０ａの近距離通信装置との間で近距離通信を行うための近距離通信アプリケーション（近距離通信用プログラム）を、管理装置８０から携帯端末装置１０ｂにダウンロードするものとする。近距離通信アプリケーションは、仮想空間参加者Ｓが用いる携帯端末装置１０ｂと仮想空間開設者Ｋが用いる携帯端末装置３０ａの間で近距離通信を行う前に予めダウロードしておくのが好ましいが、近距離通信を行う際の適宜の時期にダウンロードしてもよい。
【００１６】
［第１の実施の形態］
第１の実施の形態の動作を、図２および図３を用いて説明する。なお、図２は第１の実施の形態の動作を説明する図であり、図３は第１の実施の形態の概要を説明する図である。本実施の形態では、仮想空間ｎの開設者Ｋが用いる携帯端末装置１０ａは、管理装置８０から仮想空間ｎの入場許可情報Ｎを受信し、受信した仮想空間ｎの入場許可情報Ｎを用いて仮想空間ｎに入場する。また、仮想空間ｎへの参加者Ｓが用いる携帯端末装置１０ｂは、近距離通信装置を用いて携帯端末装置１０ａから仮想空間ｎの入場許可情報Ｎを受信し、受信した仮想空間ｎの入場許可情報を用いて仮想空間ｎに入場する。
なお、以下の各実施の形態では、仮想空間開設者Ｋが用いる携帯端末装置１０ａ、仮想空間参加者Ｓが用いる携帯端末装置１０ｂには、管理装置８０から近距離通信アプリケーションがダウンロードされているものとして説明する。また、破線の矢印は、端末用携帯無線通信装置（携帯無線通信回線２０）を用いた携帯端末装置１０ａと管理装置８０との間の通信あるいは携帯端末装置１０ｂと管理装置８０との間の広域通信を表し、一点鎖線の矢印は、近距離通信装置（近距離通信回線４０）を用いた携帯端末装置１０ａと携帯端末装置１０ｂとの間での近距離通信を表している。
本実施の形態では、仮想空間開設者Ｋが用いる携帯端末装置１０ａが本発明の「一つの携帯端末装置」に対応し、仮想空間参加者Ｓが用いる携帯端末装置１０ｂが本発明の「一つの携帯端末装置以外の他の携帯端末装置」に対応する。
【００１７】
仮想空間開設者Ｋが用いる携帯端末装置１０ａは、仮想空間ｎに入場する際に必要な入場許可情報の作成要求操作が行われると（ステップ１）、ステップ２に進む。入場許可情報の作成要求操作が行われたことは、例えば、管理装置８０が管理しているＷｅｂサイトにアクセスし、入場許可情報作成画面で仮想空間ｎが指示されたことにより判別する。仮想空間ｎを指示する方法としては、例えば、仮想空間ｎの名称や番号を入力する方法や仮想空間リストの中から選択する方法を用いることができる。
携帯端末装置１０ａは、ステップ２で、端末用携帯無線通信装置（端末用携帯無線通信手段１５ａ、アンテナ１６ａ）を用いて仮想空間ｎの入場許可情報作成要求情報を管理装置８０に送信する。
管理装置８０は、携帯端末装置１０ａから送信された仮想空間ｎの入場許可情報作成要求情報を受信すると（ステップ３）、携帯端末装置１０ａが仮想空間ｎの開設者Ｋが用いている携帯端末装置であることを判別した後、ステップ４に進む。携帯端末装置１０ａが仮想空間ｎの開設者Ｋが用いている携帯端末装置であることを判別する方法としては、例えば、携帯端末装置１０ａから送信される識別情報（端末識別情報、個人識別情報）が、仮想空間ｎに対応して記憶されている識別情報と一致することにより判別する方法等を用いることができる。
管理装置８０は、ステップ４で、仮想空間ｎの入場許可情報Ｎを作成し、管理用記憶装置９０の入場許可情報データベース９１に仮想空間ｎに対応させて記憶する。そして、作成した仮想空間ｎの入場許可情報Ｎを、入場許可情報作成要求情報を送信した携帯端末装置１０ａに送信する。ステップで４の仮想空間ｎの入場許可情報Ｎの作成処理は、入場許可判別手段８２によって実行される、仮想空間ｎの入場許可情報Ｎを作成する方法としては、種々の方法を用いることができる。
携帯端末装置１０ａは、ステップ５で、管理装置８０から送信された仮想空間ｎの入場許可情報Ｎを受信し、記憶手段１４ａに記憶する。
仮想空間ｎの入場許可情報Ｎは、管理装置８０が予め用意しておいてもよい。仮想空間ｎの入場許可情報Ｎが予め用意されている場合には、ステップ１〜５は、帯端末装置１０ａから仮想空間ｎの入場許可情報送信要求情報を管理装置８０に送信し、管理装置８０から携帯端末装置１０ａに仮想空間ｎの入場許可情報Ｎを送信する処理を実行するステップに変更される。
【００１８】
次に、仮想空間参加者Ｓは、仮想空間参加者Ｓが用いる携帯端末装置１０ｂの近距離通信装置（送受信器１８ｂ）と仮想空間開設者Ｋが用いる携帯端末装置１０ａの近距離通信装置（送受信器１７ｂ）との間で近距離通信が可能となるように、携帯端末装置１０ｂを携帯端末装置１０ａの近傍に配置する。この時、仮想空間開設者Ｋと仮想空間参加者Ｓは、目で相手を確認することができる。すなわち、実際に出会った者同士が通信を行うことになる。
携帯端末装置１０ａと携帯端末装置１０ｂとの間で近距離通信が可能となっている状態で、仮想空間開設者Ｋは、ステップ５で受信した仮想空間ｎの入場許可情報Ｎを、携帯端末装置１０ａの近距離通信装置から送信する送信操作を行う（ステップ６）。近距離通信装置から送信する送信操作は、例えば、仮想空間ｎの入場許可情報Ｎを選択し、近距離通信装置からの送信指示信号を入力することによって行われる。
同時に、仮想空間参加者Ｓは、携帯端末装置１０ａの近距離通信装置から送信される情報を携帯端末装置１０ｂの近距離通信装置で受信する受信操作を行う（ステップ７）。近距離通信装置で受信する受信操作は、例えば、近距離通信装置での受信指示信号を入力することによって行われる。
これにより、携帯端末装置１０ａは、近距離通信装置（近距離通信手段１７ａ、送受信機１８ａ）から、仮想空間ｎの入場許可情報Ｎを送信する（ステップ８）。また、携帯端末装置１０ｂは、近距離通信装置（近距離通信手段１７ｂ、送受信器１８ｂ）で、携帯端末装置１０ａの近距離通信装置から送信された仮想空間ｎの入場許可情報Ｎを受信し、携帯端末装置１０ｂの記憶手段１４ｂに記憶する（ステップ９）。
仮想空間開設者Ｋが用いる携帯端末装置１０ａから仮想空間参加者Ｓが用いる携帯端末装置１０ｂに、近距離通信装置を用いて仮想空間ｎの入場許可情報Ｎを送信するステップ６〜９は、仮想空間参加者毎に実行される。
【００１９】
携帯端末装置１０ａは、仮想空間開設者Ｋによって仮想空間ｎへの入場を要求する入場操作が行われると（ステップ１０）、ステップ１１に進む。例えば、管理装置８０が管理しているＷｅｂサイトにアクセスし、仮想空間選択画面で仮想空間ｎが選択されたことにより、仮想空間ｎへの入場操作が行われたことを判別する。
携帯端末装置１０ａは、ステップ１１で、記憶手段１４ａに記憶されている仮想空間ｎの入場許可情報Ｎを含む仮想空間ｎへの入場要求情報を、端末用携帯無線通信装置を用いて管理装置８０に送信する。この時、仮想空間開設者Ｋによって選択された入場許可情報を仮想空間ｎの入場許可情報Ｎとして送信するように構成するのが好ましい。「仮想空間ｎの入場許可情報Ｎを含む仮想空間ｎへの入場要求情報を送信する」方法としては、種々の方法を用いることができる。例えば、仮想空間ｎを示す仮想空間識別情報と、仮想空間ｎの入場許可情報Ｎを異なるタイミングで送信する方法を用いることもできる。
管理装置８０は、携帯端末装置１０ａから送信された入場許可情報Ｎを含む仮想空間ｎへの入場要求情報を受信すると（ステップ１２）、ステップ１３に進む。
管理装置８０は、ステップ１３で、携帯端末装置１０ａ（仮想空間開設者Ｋ）の仮想空間ｎへの入場を許可するか否かを判別する入場許可判別処理を実行する。ステップ１３での入場許可判別処理は、入場許可判別手段８２によって実行される。入場許可判別処理では、ステップ１２で受信した仮想空間ｎへの入場要求情報に含まれている入場許可情報Ｎが、管理用記憶装置９０の入場許可情報データベース９１に仮想空間ｎに対応して記憶されている入場許可情報Ｎと一致するか否かを判別する。そして、一致している場合には携帯端末装置１０ａの仮想空間ｎへの入場を許可し、一致しない場合には入場を許可しない。仮想空間ｎへの入場が許可されると、携帯端末装置１０ａ（仮想空間開設者Ｋ）は、仮想空間ｎ内での種々の形式の会話が可能となる。
同様に、携帯端末装置１０ｂは、仮想空間参加者Ｓによって仮想空間ｎへの入場を要求する入場操作が行われると（ステップ１４）、ステップ１５に進む。
携帯端末装置１０ｂは、ステップ１５で、記憶手段１４ｂに記憶されている入場許可情報Ｎを含む仮想空間ｎへの入場要求情報を、端末用携帯無線通信装置を用いて管理装置８０に送信する。この時、仮想空間参加者Ｓによって選択された入場許可情報を仮想空間ｎの入場許可情報Ｎとして送信するように構成するのが好ましい。
管理装置８０は、ステップ１６で、携帯端末装置１０ｂから送信された入場許可情報Ｎを含む仮想空間ｎへの入場要求情報を受信すると、携帯端末装置１０ｂ（仮想空間参加者Ｓ）の仮想空間ｎへの入場を許可するか否かを判別する入場許可判別処理を実行する。すなわち、受信した仮想空間ｎへの入場要求情報に含まれている入場許可情報Ｎが、管理用記憶装置９０の入場許可情報データベース９１に仮想空間ｎに対応して記憶されている入場許可情報Ｎと一致している場合には携帯端末装置１０ｂの仮想空間ｎへの入場を許可し、一致していない場合には入場を許可しない。入場が許可されると、携帯端末装置１０ｂ（仮想空間参加者Ｓ）は、仮想空間ｎ内での種々の形式の会話が可能となる。
【００２０】
第１の実施の形態では、仮想空間開設者Ｋが用いる携帯端末装置１０ａは、仮想空間ｎの入場許可情報Ｎを管理装置８０から受信する。また、仮想空間参加者Ｓが用いる携帯端末装置１０ｂは、携帯端末装置１０ｂと携帯端末装置１０ｂとの間での近距離通信装置を用いた近距離通信によって、携帯端末装置１０ａから仮想空間ｎの入場許可情報Ｎを受信する。そして、携帯端末装置１０ｂは、近距離通信によって受信した入場許可情報Ｎを用いて仮想空間ｎに入場することができる。すなわち、携帯端末装置１０ｂを用いる仮想空間参加者Ｓは、携帯端末装置１０ａを用いる仮想空間開設者Ｋと、互いに目で確認することができる距離まで接近し、携帯端末装置１０ａと携帯端末装置１０ｂとの間で近距離通信によって情報（仮想空間ｎの入場許可情報Ｎ）を通信したことを条件に、携帯端末装置１０ａから仮想空間ｎの入場許可情報Ｎを受信することができ、仮想空間ｎへの入場が許可される。これにより、仮想空間ｎの開設者Ｋと実際に出会った者のみが仮想空間ｎへの参加者Ｓとして仮想空間ｎに入場することができるため、仮想空間ｎが出会い系サイト等として悪用されるのを防止することができる。また、管理装置８０や携帯端末装置１０ａ、１０ｂの処理も簡単である。
【００２１】
［第２の実施の形態］
第２の実施の形態の動作を、図４および図５を用いて説明する。なお、図４は第２の実施の形態の動作を説明する図であり、図５は第２の実施の形態の概要を説明する図である。また、以下の第２の実施の形態〜第６の実施の形態では、図１に示した第１の実施の形態と同様の構成を用いている。
本実施の形態では、仮想空間ｎの開設者Ｋは、管理装置８０で作成された仮想空間ｎの入場許可情報Ｎを用いて仮想空間ｎに入場する。また、仮想空間ｎへの参加者Ｓは、近距離通信によって、開設者Ｋが発行した（作成した）認証情報Ｐｍを開設者Ｋから受信し、受信した認証情報Ｐｍを用いて管理装置８０に仮想空間ｎの入場許可情報Ｎの送信を要求し、管理装置８０から仮想空間ｎの入場許可情報を受信する。そして、受信した入場許可情報Ｎを用いて仮想空間ｎに入場する。
【００２２】
仮想空間開設者Ｋが用いる携帯端末装置１０ａは、仮想空間ｎに入場する際に必要な入場許可情報の作成要求操作が行われると（ステップ１）、ステップ２に進む。
携帯端末装置１０ａは、ステップ２で、仮想空間ｎの入場許可情報作成要求情報を端末用携帯無線通信装置を用いて管理装置８０に送信する。
管理装置８０は、携帯端末装置１０ａから送信された仮想空間ｎの入場許可情報作成要求情報を受信すると（ステップ３）、ステップ４に進む。
管理装置８０は、ステップ４で、仮想空間ｎの入場許可情報Ｎを作成し、入場許可情報データベース９１に仮想空間ｎに対応させて記憶する。そして、作成した仮想空間ｎの入場許可情報Ｎを、仮想空間ｎの入場許可情報作成要求情報を送信した携帯端末装置１０ａに送信する。
携帯端末装置１０ａは、ステップ５で、管理装置８０から送信された仮想空間ｎの入場許可情報Ｎを受信し、記憶手段１４ａに記憶する。
ステップ１〜５の処理は、第１の実施の形態で説明したように変更することができる。
【００２３】
次に、仮想空間参加者Ｓは、仮想空間参加者Ｓが用いる携帯端末装置１０ｂと仮想空間開設者Ｋが用いる携帯端末装置１０ａの間で近距離通信装置を用いた近距離通信が可能となるように、携帯端末装置１０ｂを携帯端末装置１０ａの近傍に配置する。
携帯端末装置１０ａと携帯端末装置１０ｂの間での近距離通信が可能となっている状態で、仮想空間開設者Ｋは、認証情報Ｐｍを携帯端末装置１０ａの近距離通信装置（近距離通信手段１７ａ、送受信機８ａ）から送信する送信操作を行う（ステップ６）。例えば、近距離通信装置から認証情報Ｐａを送信する送信指示信号を入力する。認証情報Ｐａは、予め作成しておいてもよいし、送信が指示された時に作成してもよい。認証情報Ｐａとしては、携帯端末装置１０ａを用いている仮想空間開設者Ｋから発行されたこと（仮想空間開設者Ｋが用いている携帯端末装置１０ａから発行されたこと）を認証することができる情報が用いられる。例えば、仮想空間開設者Ｋが秘密鍵と公開鍵を所有している場合には、秘密鍵を用いて暗号化した暗号情報を認証情報Ｐａとして用いる。仮想空間開設者Ｋが所有している秘密鍵を用いて暗号化された暗号情報は、この秘密鍵に対応する公開鍵を用いることによって復号化することができる。したがって、暗号化情報を仮想空間開設者の秘密鍵に対応する公開鍵を用いて暗号情報を復号化することができたことにより、認証情報Ｐａが仮想空間開設者Ｋ（仮想空間開設者Ｋが用いている携帯端末装置１０ａ）から発行されたものであることを認証することができる。この場合には、管理用記憶装置９０の認証処理情報データベース９２に、仮想空間開設者Ｋの公開鍵を仮想空間ｎに対応する認証処理徐由豊として記憶する。あるいは、仮想空間開設者Ｋが用いる携帯端末装置１０ａの端末識別情報を認証情報Ｐａとして用いることもできる。この場合には、管理用記憶装置９０の認証処理情報データベース９２に、携帯端末装置１０ａの端末識別情報を仮想空間ｎに対応する認証処理情報として記憶し、認証情報Ｐａが認証処理情報データベース９２に仮想空間ｎに対応する認証処理情報として記憶されている端末識別情報と一致することにより、認証情報Ｐａが仮想空間開設者Ｋが用いている携帯端末装置１０ａから発行されたものであることを認証することができる。あるいは、公的な認証機関によって発行された認証情報が用いられる。
同時に、仮想空間参加者Ｓは、携帯端末装置１０ａの近距離通信装置から送信される認証情報Ｐａを携帯端末装置１０ｂの近距離通信装置（近距離通信手段１７ｂ、送受信器１８ｂ）で受信する受信操作を行う（ステップ７）。例えば、近距離通信装置で情報を受信する受信指示信号を入力する。
これにより、携帯端末装置１０ａは、近距離通信装置から、携帯端末装置１０ａによって発行した（作成した）認証情報Ｐａを送信する（ステップ８）。また、携帯端末装置１０ｂは、近距離通信装置で、携帯端末装置１０ａの近距離通信装置から送信された認証情報Ｐａを受信し、記憶手段１４ｂに記憶する（ステップ９）。
【００２４】
そして、携帯端末装置１０ｂは、仮想空間参加者Ｓによって仮想空間ｎの入場許可情報の送信要求操作が行われると（ステップ１０）、ステップ１１に進む。例えば、管理装置８０が管理しているＷｅｂサイトにアクセスし、入場許可情報送信画面（あるいは、入場許可情報作成画面）で仮想空間ｎが指示されたことにより、仮想空間ｎの入場許可情報の送信要求操作が行われたことを判別する。仮想空間ｎを指示する方法としては、例えば、前述した方法を用いることができる。
なお、携帯端末装置１０ｂの近距離通信装置で認証情報Ｐａを受信すると（ステップ９）、直ちにステップ１１に進むように構成することもできる。
携帯端末装置１０ｂは、ステップ１１で、ステップ９で受信した認証情報Ｐａを含む仮想空間ｎの入場許可情報送信要求情報を、端末用携帯無線通信装置を用いて管理装置８０に送信する。「認証情報Ｐａを含む仮想空間ｎの入場許可情報送信要求情報を送信する」方法としては、例えば、認証情報Ｐａと仮想空間ｎを示す仮想空間識別情報を異なるタイミングで送信する方法を用いることもできる。
管理装置８０は、携帯端末装置１０ｂから送信された認証情報Ｐａを含む仮想空間ｎの入場許可情報送信要求情報を受信すると（ステップ１２）、ステップ１３に進む。
管理装置８０は、ステップ１３で、ステップ１２で受信した仮想空間ｎの入場許可情報送信要求情報に含まれている認証情報Ｐａが、入場許可情報の送信を要求された仮想空間ｎの開設者Ｋ（仮想空間開設者Ｋが用いている携帯端末装置１０ａ）によって発行された（作成された）ものであるか否かを認証する。例えば、認証情報Ｐａとして仮想空間開設者Ｋの秘密鍵を用いて暗号化された暗号情報が用いられている場合には、認証処理情報データベース９２に仮想空間ｎに対応する認証処理情報として記憶されている公開鍵（仮想空間開設者Ｋの秘密鍵に対応する公開鍵）を用いて認証情報Ｐａを復号化することができたことにより、認証情報Ｐａが仮想空間開設者Ｋ（開設者Ｋが用いている携帯端末装置１０ａ）によって発行された（作成された）ことを判別し、復号化することができなかったことにより、認証情報Ｐａが仮想空間開設者Ｋが用いている携帯端末装置１０ａ）によって発行されたものでないことを判別する。また、認証情報Ｐａとして仮想空間開設者Ｋが用いている携帯端末装置１０ａの端末識別情報を用いている場合には、認証情報Ｐａが、認証処理情報データベース９２に仮想空間ｎに対応する認証処理情報として記憶されている端末識別情報と一致することにより、認証情報Ｐａが仮想空間開設者Ｋ（仮想空間開設者Ｋが用いている携帯端末装置１０ａ）によって発行されたことを判別し、一致しないことにより、認証情報Ｐａが仮想空間開設者Ｋ（仮想空間開設者Ｋが用いている携帯端末装置１０ａ）によって発行されたものでないことを判別する。管理装置８０は、受信した仮想空間ｎの入場許可情報送信要求情報に含まれている認証情報Ｐａが仮想空間開設者Ｋ（仮想空間開設者Ｋが用いている携帯端末装置１０ａ）によって発行されたものであることを認証すると、入場許可情報データベース９１に仮想空間ｎに対応させて記憶されている入場許可情報Ｎを、仮想空間ｎの入場許可情報送信要求情報を送信した携帯端末装置１０ｂに送信する。
携帯端末装置１０ｂは、ステップ１４で、管理装置８０から送信された仮想空間ｎの入場許可情報Ｎを受信し、記憶手段１４ｂに記憶する。
【００２５】
携帯端末装置１０ａは、仮想空間開設者Ｋによって仮想空間ｎへの入場を要求する入場操作が行われると（ステップ１５）、ステップ１６に進む。
携帯端末装置１０ａは、ステップ１６で、記憶手段１４ａに記憶されている入場許可情報Ｎを含む仮想空間ｎへの入場要求情報を、端末用携帯無線通信装置を用いて管理装置８０に送信する。
管理装置８０は、ステップ１７で、携帯端末装置１０ａから送信された入場許可情報Ｎを含む仮想空間ｎへの入場要求情報を受信すると、ステップ１８に進む。
管理装置８０は、ステップ１８で、携帯端末装置１０ａ（仮想空間開設者Ｋ）の仮想空間への入場を許可するか否かを判断する入場許可判別処理を実行する。入場許可判別処理では、ステップ１７で受信した仮想空間ｎへの入場要求情報に含まれている入場許可情報Ｎが、管理用記憶装置９０の入場許可情報データベース９１に仮想空間ｎに対応して記憶されている入場許可情報Ｎと一致しているか否かを判別する。そして、一致している場合には携帯端末装置１０ａの仮想空間ｎへの入場を許可し、一致していない場合には入場を許可しない。入場が許可されると、携帯端末装置１０ａ（仮想空間開設者Ｋ）は、仮想空間ｎ内において種々の型式の会話を行うことができる。
同様に、携帯端末装置１０ｂは、仮想空間参加者Ｓによって仮想空間ｎへの入場を要求する入場操作が行われると（ステップ１９）、ステップ２０に進む。
携帯端末装置１０ｂは、ステップ２０で、記憶手段１４ｂに記憶されている入場許可情報Ｎを含む仮想空間ｎへの入場要求情報を、端末用携帯無線通信装置を用いて管理装置８０に送信する。
管理装置８０は、ステップ２１で、携帯端末装置１０ｂから送信された入場許可情報Ｎを含む仮想空間ｎへの入場要求情報を受信すると、ステップ２２に進み、ステプ１８と同様に、携帯端末装置１０ｂ（仮想空間参加者Ｓ）の仮想空間ｎへの入場を許可するか否かを判断する入場許可判別処理を実行する。
【００２６】
第２の実施の形態では、仮想空間ｎの開設者Ｋが用いる携帯端末装置１０ａは、仮想空間ｎの入場許可情報Ｎを管理装置８０から受信する。また、仮想空間ｎへの参加者Ｓが用いる携帯端末装置１０ｂは、携帯端末装置１０ａと携帯端末装置１０ｂとの間の近距離通信によって、開設者Ｋ（開設者Ｋが用いている携帯端末装置１０ａ）から発行された（作成された）認証情報Ｐａを受信し、受信した認証情報Ｐａを含む仮想空間ｎの入場許可情報送信要求情報を管理装置８０に送信し、管理装置８０から送信された仮想空間ｎの入場許可情報Ｎを受信する。そして、携帯端末装置１０ｂは、管理装置８０から受信した入場許可情報Ｎを用いて仮想空間ｎに入場することができる。すなわち、携帯端末装置１０ｂを用いる仮想空間参加者Ｓは、携帯端末装置１０ａを用いる仮想空間開設者Ｋと、互いに目で確認することができる距離まで接近し、携帯端末装置１０ａと携帯端末装置１０ｂとの間で情報（仮想空間開設者Ｋから発行された認証情報Ｐａ）を近距離通信によって通信したことを条件に、管理装置８０から仮想空間ｎの入場許可情報を受信することができ、仮想空間ｎへの入場が許可される。これにより、仮想空間ｎの開設者Ｋと実際に出会った者のみが仮想空間ｎへの参加者Ｓとして仮想空間ｎに入場することができるため、仮想空間ｎが出会い系サイト等として悪用されるのを防止することができる。また、近距離通信によって仮想空間開設者Ｋによって発行された認証情報を送信するため（入場許可情報が送信されないため）、仮想空間開設者と実際に出会っていない者に入場許可情報が漏洩する虞がない。
【００２７】
［第３の実施の形態］
第３の実施の形態の動作を、図６および図７を用いて説明する。なお、図６は第３の実施の形態の動作を説明する図であり、図７は第３の実施の形態の概要を説明する図である。本実施の形態では、仮想空間ｎの開設者Ｋは、管理装置８０で作成された仮想空間ｎの入場許可情報Ｎを用いて仮想空間ｎに入場する。また、仮想空間ｎの開設者Ｋは、管理装置８０から発行された（作成された）認証情報Ｐｍを管理装置８０から受信する。仮想空間ｎへの参加者Ｓは、近距離通信によって開設者Ｋから、管理装置８０から発行された（作成された）認証情報Ｐｍを受信し、受信した認証情報Ｐｍを用いて管理装置８０から仮想空間ｎの入場許可情報Ｎを受信する。そして、受信した入場許可情報Ｎを用いて仮想空間ｎに入場する。
【００２８】
仮想空間ｎの開設者Ｋが用いる携帯端末装置１０ａは、仮想空間ｎに入場する際に必要な入場許可情報の作成要求操作が行われると（ステップ１）、ステップ２に進む。
携帯端末装置１０ａは、ステップ２で、仮想空間ｎの入場許可情報作成要求情報を端末用形態無線通信装置を用いて管理装置８０に送信する。
管理装置８０は、携帯端末装置１０ａから送信された仮想空間ｎの入場許可情報作成要求情報を受信すると（ステップ３）、ステップ４に進む。
管理装置８０は、ステップ４で、仮想空間ｎの入場許可情報Ｎを作成し、入場許可情報データベース９１に仮想空間に対応させて記憶する。そして、作成した仮想空間ｎの入場許可情報Ｎを、仮想空間nの入場許可情報作成要求情報を送信した携帯端末装置１０ａに送信する。
携帯端末装置１０ａは、ステップ５で、管理装置８０から送信された仮想空間ｎの入場許可情報Ｎを受信し、記憶手段１４ａに記憶する。
ステップ１〜５の処理は、第１の実施の形態で説明したように変更することができる。
【００２９】
また、携帯端末装置１０ａは、仮想空間開設者Ｋによって、仮想空間参加者Ｓに送信する認証情報Ｐｍの作成要求操作が行われると（ステップ６）、ステップ７に進む。認証情報の作成要求操作が行われたことは、例えば、管理装置８０が管理しているＷｅｂサイトにアクセスし、メニュー画面で認証情報の作成が指示されることによって判別する。
なお、管理装置８０から仮想空間ｎの入場許可情報Ｎを受信すると（ステップ５）、直ちにステップ７に進むように構成することもできる。
携帯端末装置１０ａは、ステップ７で、認証情報作成要求情報を端末用形態無線通信装置を用いて管理装置８０に送信する。
管理装置８０は、携帯端末装置１０ａから送信された認証情報作成要求情報を受信すると（ステップ８）、ステップ９に進む。
管理装置８０は、ステップ９で、認証情報Ｐｍを作成し、認証情報作成要求情報を送信した携帯端末装置１０ａに送信する。認証情報Ｐｍとしては、管理装置８０から発行されたものであることを認証することができる情報が用いられる。例えば、管理装置８０が秘密鍵と公開鍵を所有している場合には、秘密鍵を用いて暗号化された暗号情報を認証情報Ｐｍとして用いることができる。あるいは、管理装置８０の端末識別情報を認証情報Ｐｍとして用いることができる。本実施の形態では、認証情報Ｐｍが管理装置８０から発行された（作成された）ものであることを管理装置８０で認証するため、認証情報Ｐｍとしてこれ以外の種々の情報を用いることができる。あるいは、公的な認証機関によって発行された認証情報が用いられる。
携帯端末装置１０ａは、ステップ１０で、管理装置８０から送信された入場許可情報Ｐｍを受信し、記憶手段１４ａに記憶する。
【００３０】
次に、仮想空間参加者Ｓは、仮想空間開設者Ｋが用いる携帯端末装置１０ａと仮想空間参加者Ｓが用いる携帯端末装置１０ｂとの間で近距離通信が可能となるように、携帯端末装置１０ｂを携帯端末装置１０ａの近傍に配置する。
携帯端末装置１０ａと携帯端末装置１０ｂの間で近距離通信が可能となっている状態で、仮想空間開設者Ｋは、認証情報Ｐｍを携帯端末装置１０ａの近距離通信装置（近距離通信手段１７ａ、送受信機１８ａ）から送信する送信操作を行う（ステップ１１）。同時に、仮想空間参加者Ｓは、携帯端末装置１０ａの近距離通信装置から送信される認証情報Ｐｍを、携帯端末装置１０ｂの近距離通信装置（近距離信手段１７ｂ、送受信機１８ｂ）で受信する受信操作を行う（ステップ１２）。
これにより、携帯端末装置１０ａは、近距離通信装置（送受信器１８ａ）から認証情報Ｐｍを送信する（ステップ１３）。また、携帯端末装置１０ｂは、近距離通信装置（送受信器１８ｂ）で、携帯端末装置１０ａの近距離通信装置（送受信器１８ａ）から送信される認証報Ｐｍを受信し、記憶手段１４ｂに記憶する（ステップ１４）。
【００３１】
そして、携帯端末装置１０ｂは、仮想空間参加者Ｓによって仮想空間ｎの入場許可情報の送信要求操作が行われると（ステップ１５）、ステップ１６に進む。例えば、管理装置８０が管理しているＷｅｂサイトにアクセスし、入場許可情報送信画面（あるいは、入場許可情報作成画面）で仮想空間ｎが指示されたことにより、入場許可情報の送信要求操作が行われたことを判別する。
なお、携帯端末装置１０ａから送信された認証情報Ｐｍを携帯端末装置１０ｂの近距離通信装置で受信すると（ステップ１４）、直ちにステップ１６に進むように構成することもできる。
携帯端末装置１０ｂは、ステップ１６で、ステップ１４で受信した認証情報Ｐｍを含む仮想空間ｎの入場許可情報送信要求情報を管理装置８０に送信する。「認証情報Ｐｍを含む仮想空間ｎの入場許可情報送信要求情報を送信する」方法としては、例えば、認証情報Ｐｍと仮想空間ｎを示す仮想空間識別情報を異なるタイミングで送信する方法を用いることもできる。
管理装置８０は、携帯端末装置１０ｂから送信された認証情報Ｐｍを含む仮想空間ｎの入場許可情報送信要求情報を受信すると（ステップ１７）、ステップ１８に進む。
管理装置８０は、ステップ１８で、ステップ１７で受信した仮想空間ｎの入場許可情報送信要求情報に含まれている認証情報Ｐｍが、管理装置８０によって発行された（作成された）ものであるか否かを認証する。例えば、認証情報Ｐｍとして管理装置８０の秘密鍵を用いて暗号化された暗号情報が用いられている場合には、認証処理情報データベース９２に認証処理情報として記憶されている、管理装置８０の秘密鍵に対応する公開鍵を用いて認証情報Ｐｍを復号化することができるか否かを判別する。認証情報Ｐｍを復号化することができたことにより認証情報Ｐｍが管理装置８０によって発行された（作成された）ことを判別し、復号化することができないことにより認証情報Ｐｍが管理装置８０によって発行された（作成された）ものでないことを判別する。また、認証情報Ｐｍとして管理装置８０の端末識別情報を用いている場合には、認証情報Ｐｍが、認証処理情報データベース９２に認証処理情報として記憶されている管理装置８０の端末識別情報と一致するか否かを判別する。認証情報Ｐｍが認証情報データベースに記憶されている端末識別情報と一致することにより、認証情報Ｐｍが管理装置８０によって発行されたことを判別し、一致しないことにより認証情報Ｐｍが管理装置８０によって発行されたものでないことを判別する。管理装置８０は、受信した仮想空間ｎの入場許可情報送信要求情報に含まれている認証情報Ｐｍが管理装置８０によって発行されたものであることを認証すると、入場許可情報データベース９１に、入場許可情報の送信が要求された仮想空間ｎに対応して記憶されている入場許可情報Ｎを、仮想空間ｎの入場許可情報送信要求情報を送信した携帯端末装置１０ｂに送信する。
携帯端末装置１０ｂは、ステップ１９で、管理装置８０から送信された仮想空間ｎの入場許可情報Ｎを受信し、記憶手段１４ｂに記憶する。
【００３２】
携帯端末装置１０ａは、仮想空間開設者Ｋによって仮想空間ｎへの入場を要求する入場操作が行われると（ステップ２０）、記憶手段１４ａに記憶されている入場許可情報Ｎを含む仮想空間ｎへの入場要求情報を管理装置８０に送信する（ステップ２１）。
管理装置８０は、ステップ２２で、携帯端末装置１０ａから送信された入場許可情報Ｎを含む仮想空間ｎへの入場要求情報を受信すると、ステップ２３に進む。
管理装置８０は、ステップ２３で、受信した仮想空間ｎへの入場要求情報に含まれている入場許可情報Ｎが入場許可情報データベース９１に仮想空間ｎに対応して記憶されている入場許可情報Ｎと一致しているか否かを判別する。そして、一致している場合には、入場許可情報Ｎを含む仮想空間ｎへの入場要求情報を送信した携帯端末装置１０ａの仮想空間ｎへの入場を許可し、一致しない場合には入場を許可しない。
同様に、携帯端末装置１０ｂは、仮想空間参加者Ｓによって仮想空間ｎへの入場を要求する入場操作が行われると（ステップ２４）、記憶手段１４ｂに記憶されている仮想空間ｎの入場許可情報Ｎを含む仮想空間ｎへの入場要求情報を管理装置８０に送信する（ステップ２５）。
管理装置８０は、ステップ２６で、携帯端末装置１０ｂから送信された入場許可情報Ｎを含む仮想空間ｎへの入場要求情報を受信すると、ステップ２７に進む。
管理装置８０は、ステップ２７で、受信した仮想空間ｎへの入場要求情報に含まれている入場許可情報Ｎが入場許可情報データベース９１に仮想空間ｎに対応して記憶されている入場許可情報Ｎと一致しているか否かを判別する。そして、一致している場合には、入場許可情報Ｎを含む仮想空間ｎへの入場要求情報を送信した携帯端末装置１０ｂの仮想空間ｎへの入場を許可し、一致していない場合には許可しない。
【００３３】
第３の実施の形態では、仮想空間ｎの開設者Ｋが用いる携帯端末装置１０ａは、仮想空間ｎの入場許可情報Ｎと管理装置８０から発行された認証情報Ｐｍを管理装置８０から受信する。仮想空間ｎへの参加者Ｓが用いる携帯端末装置１０ｂは、携帯端末装置１０ａと携帯端末装置１０ｂとの間の近距離通信によって、携帯端末装置１０ａから、管理装置８０によって発行された認証情報Ｐｍを受信し、受信した認証情報Ｐｍを含む仮想空間ｎの入場許可情報送信要求情報を管理装置８０に送信し、仮想空間ｎの入場許可情報Ｎを管理装置８０から受信する。そして、仮想空間ｎへの参加者Ｓが用いる携帯端末装置１０ｂは、管理装置８０から受信した仮想空間ｎの入場許可情報Ｎを用いて仮想空間ｎに入場することができる。すなわち、携帯端末装置１０ｂを用いる仮想空間参加者Ｓは、携帯端末装置１０ａを用いる仮想空間開設者Ｋと、互いに目で確認することができる距離まで接近し、携帯端末装置１０ａと携帯端末装置１０ｂとの間で情報（管理装置８０によって発行された認証情報Ｐｍ）を近距離通信によって通信したことを条件に、管理装置８０から仮想空間ｎの入場許可情報を受信することができ、仮想空間ｎへの入場が許可される。これにより、仮想空間ｎの開設者Ｋと実際に出会った者のみが仮想空間ｎへの参加者として仮想空間ｎに入場することができるため、仮想空間ｎが出会い系サイト等として悪用されるのを防止することができる。また、近距離通信によって管理装置によって発行された認証情報を送信するため（入場許可情報を送信しないため）、仮想空間開設者と実際に出会っていない者に入場許可情報が漏洩する虞がない。
【００３４】
［第４の実施の形態］
第４の実施の形態の動作を、図８および図９を用いて説明する。なお、図８第４の実施の形態の動作を説明する図であり、図９は第４の実施の形態の概要を説明する図である。本実施の形態では、仮想空間ｎの開設者Ｋは、仮想空間ｎの開設者Ｋが用いる携帯端末装置１０ａの端末識別情報Ａを仮想空間ｎの入場許可情報Ｎとして管理装置８０に送信する。仮想空間ｎへの参加者Ｓは、近距離通信によって、開設者Ｋから仮想区間ｎの入場許可情報Ｎとして設定された、開設者Ｋが用いる携帯端末装置１０ａの端末識別情報Ａを受信する。そして、受信した携帯端末装置１０ａの端末識別情報Ａを仮想空間ｎの入場許可情報Ｎとして用いて仮想空間ｎに入場する。
【００３５】
仮想空間ｎの開設者Ｋが用いる携帯端末装置１０ａは、仮想空間開設者Ｋによって、仮想空間ｎに入場する際に必要な入場許可情報の作成要求操作が行われると（ステップ１）、ステップ２に進む。
携帯端末装置１０ａは、ステップ２で、記憶手段１４ａに記憶されている携帯端末装置１０ａの端末識別情報Ａを入場許可情報Ｎとして含む仮想空間ｎの入場許可情報作成要求情報を管理装置８０に送信する。「端末識別情報Ａを含む仮想空間ｎの入場許可情報作成要求情報を送信する」方法としては、例えば、端末識別情報Ａと仮想空間ｎを示す仮想空間識別情報を異なるタイミングで送信する方法を用いることもできる。
管理装置８０は、携帯端末装置１０ａから送信された端末識別情報Ａを入場許可情報として含む仮想空間ｎの入場許可情報作成要求情報を受信すると（ステップ３）、ステップ４に進む。
管理装置８０は、ステップ４で、受信した仮想空間ｎの入場許可情報作成要求情報に含まれている端末識別情報Ａを仮想空間ｎの入場許可情報Ｎとして作成し、入場許可情報データベース９１に仮想空間ｎに対応させて記憶する。
【００３６】
次に、仮想空間参加者Ｓは、仮想空間参加者Ｓが用いる携帯端末装置１０ｂと仮想空間開設者Ｋが用いる携帯端末装置１０ａとの間で近距離通信が可能となるように、携帯端末装置１０ｂを携帯端末装置１０ａの近傍に配置する。
携帯端末装置１０ａと携帯端末装置１０ｂとの間での近距離通信が可能となっている状態で、仮想空間開設者Ｋは、仮想空間ｎの入場許可情報Ｎとして作成（登録）した端末識別情報Ａを携帯端末装置１０ａの近距離通信装置（近距離通信手段１７ａ、送受信機８ａ）から送信する送信操作を行う（ステップ５）。同時に、仮想空間参加者Ｓは、携帯端末装置１０ａの近距離通信装置から送信される端末識別情報Ａを、携帯端末装置１０ｂの近距離通信装置（近距離通信手段１７ｂ、送受信機８ｂ）で受信する受信操作を行う（ステップ６）。
これにより、携帯端末装置１０ａは、近距離通信装置から、仮想空間ｎの入場許可情報として作成された携帯端末装置１０ａの端末識別情報Ａを送信する（ステップ７）。また、携帯端末装置１０ｂは、近距離通信装置で、端末識別情報Ａの近距離通信装置から送信された端末識別情報Ａを受信し、記憶手段１４ｂに記憶する（ステップ８）。
【００３７】
携帯端末装置１０ａは、仮想空間開設者Ｋによって仮想空間ｎへの入場を要求する入場操作が行われると（ステップ９）、ステップ１０に進む。
携帯端末装置１０ａは、ステップ１０で、記憶手段１４ａに記憶されている端末識別情報Ａを含む仮想空間ｎへの入場要求情報を管理装置８０に送信する。
管理装置８０は、ステップ１１で、携帯端末装置１０ａから送信された端末識別情報Ａを含む仮想空間ｎへの入場要求情報を受信すると、ステップ１２に進む。
管理装置８０は、ステップ１２で、携帯端末装置１０ａ（開設者Ｋ）の仮想空間への入場を許可するか否かを判別する入場許可判別処理を実行する。入場許可判別処理では、受信した仮想空間ｎへの入場要求情報に含まれている端末識別情報Ａが、入場許可情報データベース９１に仮想空間ｎに対応する入場許可情報Ｎとして記憶されている端末識別情報Ａと一致しているか否かを判別する。そして、一致していることにより携帯端末装置１０ａの仮想空間ｎへの入場を許可し、一致しない場合には入場を許可しない。
同様に、携帯端末装置１０ｂは、仮想空間参加者Ｓによって、仮想空間ｎへの入場を要求する入場操作が行われると（ステップ１３）、ステップ１４に進む。
携帯端末装置１０ｂは、ステップ１４で、記憶手段１４ｂに記憶されている端末識別情報Ａを入場許可情報として含む仮想空間ｎへの入場要求情報を管理装置８０に送信する。
管理装置８０は、ステップ１４で、携帯端末装置１０ｂから送信された端末識別情報Ａを含む仮想空間ｎへの入場要求情報を受信すると、ステップ１６に進む。
管理装置８０は、ステップ１６で、受信した仮想空間ｎへの入場要求情報に含まれている端末識別情報Ａが入場許可情報データベース９１に仮想空間ｎに対応する入場許可情報Ｎとして記憶されている端末識別情報Ａと一致しているか否かを判別する。そして、一致している場合には仮想空間ｎへの入場要求情報を送信した携帯端末装置１０ｂの仮想空間ｎへの入場を許可し、一定していない場合には許可しない。
【００３８】
第４の実施の形態では、仮想空間ｎの開設者Ｋが用いる携帯端末装置１０ａは、携帯端末装置１０ａの端末識別情報Ａを仮想空間ｎの入場許可情報Ｎとして管理装置８０に送信する。仮想空間ｎへの参加者Ｓが用いる携帯端末装置１０ｂは、携帯端末装置１０ａと携帯端末装置１０ｂとの間での近距離通信によって、携帯端末装置１０ａから仮想空間ｎの入場許可情報Ｎとして作成（登録）された端末識別情報Ａを受信する。そして、携帯端末装置１０ｂは、携帯端末装置１０ａから受信した入場許可情報Ｎとして作成された端末識別情報Ａを用いて仮想空間ｎに入場することができる。すなわち、携帯端末装置１０ｂを用いる仮想空間参加者Ｓは、携帯端末装置１０ａを用いる仮想空間開設者Ｋと、互いに目で確認することができる距離まで接近し、携帯端末装置１０ａと携帯端末装置１０ｂとの間で情報（携帯端末装置１０ａから管理装置８０に送信され、入場許可情報データベース９１に仮想空間ｎの入場許可情報Ｎとして記憶された携帯端末装置１０ａの端末識別情報Ａ）を近距離通信によって通信したことを条件に、携帯端末装置１０ａから仮想空間ｎの入場許可情報を受信することができ、仮想空間ｎへの入場が許可される。これにより、仮想空間ｎの開設者Ｋと実際に出会った者のみが仮想空間ｎへの参加者Ｓとして仮想空間ｎに入場することができるため、仮想空間ｎが出会い系サイト等として悪用されるのを防止することができる。また、仮想空間ｎの開設者Ｋが用いる携帯端末装置１０ａの端末識別情報Ａを仮想空間ｎの入場許可情報として用いるため、管理装置８０や携帯端末装置１０ａ、１０ｂの処理が簡単となる。
【００３９】
［第５の実施の形態］
第５の実施の形態の動作を、図１０および図１１を用いて説明する。なお、図１０は第５の実施の形態の動作を説明する図であり、図１１は第５の実施の形態の概要を説明する図である。本実施の形態では、仮想空間ｎの開設者Ｋは、仮想空間ｎの開設者Ｋが用いる携帯端末装置１０ａの端末識別情報Ａを仮想空間ｎの入場許可情報Ｎとして管理装置８０に送信する。また、仮想空間ｎの開設者Ｋは、近距離通信によって仮想空間ｎへの参加者Ｓが用いる携帯端末装置１０ｂの端末識別情報Ｂを受信する。そして、受信した端末識別情報Ｂを仮想空間ｎの入場許可情報Ｎとして管理装置に送信する。仮想空間の開設者Ｋは、携帯端末装置１０ａの端末識別情報Ａを仮想空間ｎの入場許可情報Ｎとして用いて仮想空間ｎに入場し、仮想空間への参加者Ｓは、携帯端末装置１０ｂの端末識別情報Ｂを仮想空間ｎの入場許可情報Ｎとして用いて仮想空間ｎに入場する。
【００４０】
仮想空間ｎの開設者Ｋが用いる携帯端末装置１０ａは、仮想空間開設者Ｋによって、仮想空間ｎに入場する際に必要な入場許可情報の作成要求操作が行われると（ステップ１）、ステップ２に進む。
携帯端末装置１０ａは、ステップ２で、記憶手段１４ａに記憶されている携帯端末装置１０ａの端末識別情報Ａを入場許可情報Ｎとして含む仮想空間ｎの入場許可情報作成要求情報を管理装置８０に送信する。
管理装置８０は、携帯端末装置１０ａから送信された端末識別情報Ａを入場許可情報Ｎとして含む仮想空間ｎの入場許可情報作成要求情報を受信すると（ステップ３）、ステップ４に進む。
管理装置８０は、ステップ４で、受信した仮想空間ｎの入場許可情報作成要求情報に入場許可情報Ｎとして含まれている端末識別情報Ａを仮想空間ｎの入場許可情報Ｎとして作成し、入場許可情報データベース９１に仮想空間ｎに対応させて記憶する（登録する）。
【００４１】
次に、仮想空間参加者Ｓは、仮想空間開設者Ｋが用いる携帯端末装置１０ａと仮想空間参加者Ｓが用いる携帯端末装置１０ｂとの間で近距離通信装置を用いた近距離通信が可能となるように、携帯端末装置１０ｂを携帯端末装置１０ａの近傍に配置する。
携帯端末装置１０ａと携帯端末装置１０ｂとの間での近距離通信が可能となっている状態で、仮想空間開設者Ｋは、仮想空間参加者Ｓが用いる携帯端末装置１０ｂの端末識別情報Ｂを近距離通信装置を用いて受信する受信操作を行う（ステップ５）。同時に、仮想空間参加者Ｓは、携帯端末装置１０ｂの端末識別情報Ｂを近距離通信装置を用いて携帯端末装置１０ａに送信する送信操作を行う（ステップ６）。
これにより、携帯端末装置１０ａは、近距離通信装置（近距離通信手段１７ａ、送受信器１８ａ）から端末識別情報送信要求情報を送信する（ステップ７）。そして、携帯端末装置１０ｂは、近距離通信装置（近距離通信手段１７ｂ、送受信器１８ｂ）で、携帯端末装置１０ａの近距離通信装置から送信された端末識別情報送信要求情報を受信する（ステップ８）。また、携帯端末装置１０ｂは、端末識別情報送信要求情報の受信に応答して、近距離通信装置から、記憶手段１４ｂに記憶されている携帯端末装置１０ｂの端末識別情報Ｂを送信する（ステップ９）。そして、携帯端末装置１０ａは、近距離通信装置で、携帯端末装置１０ｂの近距離通信装置から送信された端末識別情報Ｂを受信し、記憶手段１４ａに記憶する（ステップ１０）。
【００４２】
次に、携帯端末装置１０ａは、仮想空間開設者Ｋによって、仮想空間ｎの追加の入場許可情報（あるいは、仮想空間ｎの入場許可情報）の作成操作が行われると（ステップ１１）、ステップ１２に進む。例えば、管理装置８０が管理しているＷｅｂサイトにアクセスし、追加の入場許可情報送信画面（あるいは、入場許可情報作成画面）で仮想空間ｎが指示されたことにより、追加の入場許可情報（あるいは、入場許可情報）の作成操作が行われたことを判別する。
なお、仮想空間参加者Ｓの携帯端末装置１０ｂから端末識別情報Ｂを受信すると（ステップ１０）、直ちにステップ１２に進むように構成することもできる。
携帯端末装置１０ｂは、ステップ１２で、ステップ１０で受信した端末識別情報Ｂを入場許可情報Ｎとして含む仮想空間ｎの追加の入場許可情報作成要求情報（あるいは、仮想空間ｎの入場許可情報作成要求情報）を端末用携帯無線通信装置を用いて管理装置８０に送信する。
管理装置８０は、携帯端末装置１０ａから送信された端末識別情報Ｂを入場許可情報Ｎとして含む仮想空間ｎの追加の入場許可情報作成要求情報（あるいは、仮想空間ｎの入場許可情報作成要求情報）を受信すると（ステップ１３）、ステップ１４に進む。
管理装置８０は、ステップ１４で、ステップ１３で受信した仮想空間ｎの追加の入場許可情報作成要求情報（あるいは、仮想空間ｎの入場許可情報作成要求情報）に含まれている端末識別情報Ｂを仮想空間ｎの入場許可情報Ｎとして作成し、入場許可情報データベース８１に仮想空間ｎに対応させて記憶する（登録する）。
【００４３】
携帯端末装置１０ａは、仮想空間開設者Ｋによって、仮想空間ｎへの入場を要求する入場操作が行われると（ステップ１５）、ステップ１６に進む。
携帯端末装置１０ａは、ステップ１６で、記憶手段１４ａに記憶されている携帯端末装置１０ａの端末識別情報Ａを含む仮想空間ｎへの入場要求情報を管理装置８０に送信する。この時、管理用記憶装置９０の入場許可情報データベース９１に仮想空間ｎへの入場許可情報として記憶されている携帯端末装置の端末識別情報のいずれか（例えば、携帯端末装置１０ｂの端末識別情報Ｂ）を含む仮想空間ｎへの入場要求情報を送信するように構成することもできる。
管理装置８０は、ステップ１７で、携帯端末装置１０ａから送信された端末識別情報Ａを含む仮想空間ｎへの入場要求情報を受信すると、ステップ１８に進む。
管理装置８０は、ステップ１８で、受信した仮想空間ｎへの入場要求情報に含まれている端末識別情報Ａが、入場許可情報データベース９１に仮想空間ｎの入場許可情報Ｎとして記憶されている端末識別情報（ＡあるいはＢ）と一致しているか否かを判別する。そして、一致している場合には携帯端末装置１０ａの仮想空間ｎへの入場を許可し、一致しない場合には入場を許可しない。
同様に、携帯端末装置１０ｂは、仮想区間参加者Ｓによって、仮想空間ｎへの入場を要求する入場操作が行われると（ステップ１９）、ステップ２０に進む。
携帯端末装置１０ｂは、ステップ２０で、記憶手段１４ｂに記憶されている端末識別情報Ｂを含む仮想空間ｎへの入場要求情報を管理装置８０に送信する。
管理装置８０は、ステップ２１で、携帯端末装置１０ｂから送信された端末識別情報Ｂを含む仮想空間ｎへの入場要求情報を受信すると、ステップ２２に進む。
管理装置８０は、ステップ２２で、受信した仮想空間ｎへの入場要求情報に含まれている端末識別情報Ｂが、入場許可情報データベース９１に仮想空間ｎの入場許可情報Ｎとして記憶されている端末識別情報（ＡあるいはＢ）と一致しているか否かを判別する。そして、一致している場合には携帯端末装置１０ｂの仮想空間ｎへの入場を許可し、一定していない場合には許可しない。
【００４４】
第５の実施の形態では、仮想空間の開設者Ｋが用いる携帯端末装置１０ａは、携帯端末装置１０ａの端末識別情報Ａを仮想空間ｎの入場許可情報Ｎとして管理装置８０に送信する。また、仮想空間開設者Ｋが用いる携帯端末装置１０ａは、仮想空間参加者Ｓが用いる携帯端末装置１０ｂとの間の近距離通信装置を用いた近距離通信によって、携帯端末装置１０ｂの端末識別情報Ｂを受信し、受信した端末識別情報Ｂも仮想空間ｎの入場許可情報Ｎとして管理装置８０に送信する。そして、携帯端末装置１０ａは、携帯端末装置１０ａの端末識別情報Ａを用いて仮想空間ｎに入場することができ、携帯端末装置１０ｂは、携帯端末装置１０ｂの端末識別情報Ｂを用いて仮想空間ｎに入場することができる。すなわち、携帯端末装置１０ｂを用いる仮想空間参加者Ｓは、携帯端末装置１０ａを用いる仮想空間開設者Ｋと、互いに目で確認することができる距離まで接近し、携帯端末装置１０ａと携帯端末装置１０ｂとの間で情報（携帯端末装置１０ｂの端末識別情報Ｂ）を近距離通信によって伝送したことを条件に、携帯端末装置１０ｂの端末識別情報Ｂを用いて仮想空間ｎに入場することができる。これにより、仮想空間ｎの開設者Ｋと実際に出会った者のみが仮想空間ｎへの参加者Ｓとして仮想空間ｎに入場することができるため、仮想空間ｎが出会い系サイト等として悪用されるのを防止することができる。また、仮想空間開設者Ａが用いる携帯端末装置１０ａおよび仮想空間参加者Ｂが用いる携帯端末装置１０ｂは、それぞれ自己の端末識別情報ＡおよびＢを仮想空間ｎの入場許可情報Ｎとして用いることができるため、管理装置８０や携帯端末装置１０ａ、１０ｂの処理が簡単となる。
なお、携帯端末装置１０ａや携帯端末装置１０ｂで用いる入場許可情報としては、携帯端末装置１０ａの端末識別情報Ａや携帯端末装置１０ｂの端末識別情報Ｂに限定されず、携帯端末装置１０ａや携帯端末装置１０ｂそれぞれで設定された情報を用いることができる。
【００４５】
［第６の実施の形態］
第６の実施の形態の動作を、図１２および図１３を用いて説明する。なお、図１２は第６の実施の形態の動作を説明する図であり、図１３は第６の実施の形態の概要を説明する図である。本実施の形態では、仮想空間ｎの開設者Ｋは、仮想空間ｎの開設者Ｋが用いる携帯端末装置１０ａの端末識別情報Ａを仮想空間ｎの入場許可情報Ｎとして管理装置８０に送信する。また、仮想空間ｎの開設者Ｋは、管理装置８０から認証情報Ｐｍを受信する。仮想空間ｎへの参加者Ｓは、仮想空間ｎの開設者Ｋが用いる携帯端末装置１０ａと仮想空間ｎへの参加者Ｓが用いる携帯端末装置１０ｂとの間の近距離通信によって携帯端末装置１０ａから認証情報Ｐｍを受信し、受信した認証情報Ｐｍを用いて、携帯端末装置１０ｂの端末識別情報Ｂを仮想空間ｎの入場許可情報Ｎとして管理装置８０に送信する。携帯端末装置１０ａ、１０ｂは、それぞれの端末識別情報Ａ、Ｂを用いて仮想空間ｎに入場する。
【００４６】
仮想空間開設者Ｋが用いる携帯端末装置１０ａは、仮想空間開設者Ｋによって、仮想空間ｎに入場する際に必要な入場許可情報の作成要求操作が行われると（ステップ１）、ステップ２に進む。
携帯端末装置１０ａは、ステップ２で、記憶手段１４ａに記憶されている携帯端末装置１０ａの端末識別情報Ａを入場許可情報として含む仮想空間ｎの入場許可情報作成要求情報を管理装置８０に送信する。
管理装置８０は、携帯端末装置１０ａから送信された、端末識別情報Ａを入場許可情報として含む仮想空間ｎの入場許可情報作成要求情報を受信すると（ステップ３）、ステップ４に進む。
管理装置８０は、ステップ４で、受信した仮想空間ｎの入場許可情報作成要求情報に含まれている端末識別情報Ａを仮想空間ｎの入場許可情報Ｎとして作成し、入場許可情報データベース９１に仮想空間ｎに対応する入場許可情報Ｎとして記憶する（登録する）。
【００４７】
携帯端末装置１０ａは、仮想空間開設者Ｋによって、仮想空間参加者Ｓに送信する認証情報Ｐｍの作成要求操作が行われると（ステップ５）、ステップ６に進む。
なお、携帯端末装置１０ａが、端末識別情報Ａを入場許可情報として含む仮想空間ｎの入場許可情報作成要求情報を管理装置８０に送信した後（ステップ２）、直ちにステップ６に進むように構成することもできる。
携帯端末装置１０ａは、ステップ６で、認証情報作成要求情報を管理装置８０に送信する。
管理装置８０は、携帯端末装置１０ａから送信された認証情報作成要求情報を受信すると（ステップ７）、ステップ８に進む。
管理装置８０は、ステップ８で、認証情報Ｐｍを作成し、認証情報作成要求情報を送信した携帯端末装置１０ａに送信する。認証情報Ｐｍとしては、前述したような、管理装置８０によって発行されたことを認証することができる情報が用いられる。
携帯端末装置１０ａは、ステップ９で、管理装置８０から送信された認証情報Ｐｍを受信し、記憶手段１４ａに記憶する。
【００４８】
次に、仮想空間参加者Ｓは、仮想空間参加者Ｓが用いる携帯端末装置１０ｂと仮想空間開設者Ｋが用いる携帯端末装置１０ａとの間で近距離通信が可能となるように、携帯端末装置１０ｂを携帯端末装置１０ａの近傍に配置する。
携帯端末装置１０ａと携帯端末装置１０ｂとの間で近距離通信装置を用いた近距離通信が可能となっている状態で、仮想空間開設者Ｋは、認証情報Ｐｍを携帯端末装置１０ａの近距離通信装置から送信する送信操作を行う（ステップ１０）。同時に、仮想空間参加者Ｓは、携帯端末装置１０ｂの近距離通信装置で、携帯端末装置１０ａの近距離通信装置からから送信された認証情報Ｐｍを受信する受信操作を行う（ステップ１１）。
これにより、携帯端末装置１０ａは、近距離通信装置から認証情報Ｐｍを送信する（ステップ１２）。また、携帯端末装置１０ｂは、近距離通信装置で、携帯端末装置１０ａの近距離通信装置から送信された認証情報Ｐｍを受信し、記憶手段１４ｂに記憶する（ステップ１３）。
【００４９】
そして、携帯端末装置１０ｂは、仮想空間参加者Ｓによって、仮想空間ｎの入場許可情報の送信要求操作が行われると（ステップ１４）、ステップ１５に進む。
なお、携帯端末装置１０ｂが認証情報Ｐｍを受信すると（ステップ１３）、直ちにステップ１５に進むように構成することもできる。
携帯端末装置１０ｂは、ステップ１５で、ステップ１３で受信した認証情報Ｐｍと記憶手段１４ｂに記憶されている携帯端末装置１０ｂの端末識別情報Ｂを入場許可情報として含む仮想空間ｎの入場許可情報作成要求情報を管理装置８０に送信する。
管理装置８０は、携帯端末装置１０ｂから送信された認証情報Ｐｍと端末識別情報Ｂを含む仮想空間ｎの入場許可情報送信要求情報を受信すると（ステップ１６）、ステップ１７に進む。
管理装置８０は、ステップ１７で、ステップ１６で受信した仮想空間ｎの入場許可情報送信要求情報に含まれている認証情報Ｐｍが、管理装置８０によって発行されたものであるか否かを認証する。認証情報Ｐｍが管理装置８０によって発行されたものであるか否かを認証する方法としては、例えば、前述した方法を用いることができる。管理装置８０は、受信した仮想空間ｎの入場許可情報送信要求情報に含まれている認証情報Ｐｍが管理装置８０によって発行されたものであることを認証すると、受信した仮想空間ｎの入場許可情報送信要求情報に含まれている端末識別情報Ｂを仮想空間ｎの入場許可情報Ｎとして作成し、入場許可情報データベース９１に仮想空間ｎに対応する入場許可情報Ｎとして記憶（登録）する。
【００５０】
携帯端末装置１０ａは、仮想空間開設者Ｋによって、仮想空間ｎへの入場を要求する入場操作が行われると（ステップ１８）、記憶手段１４ａに記憶されている端末識別情報Ａを含む仮想空間ｎへの入場要求情報を管理装置８０に送信する（ステップ１９）。
管理装置８０は、携帯端末装置１０ａから送信された端末識別情報Ａを含む仮想空間ｎへの入場要求情報を受信すると（ステップ２０）、受信した仮想空間ｎへの入場要求情報に含まれている端末識別情報Ａが入場許可情報データベース９１に仮想空間ｎに対応する入場許可情報Ｎとして記憶されている端末識別情報（ＡあるいはＢ）と一致するか否かを判別する（ステップ２１）。そして、一致していることにより携帯端末装置１０ａの仮想空間ｎへの入場を許可し、一致していないことにより入場を許可しない。
同様に、携帯端末装置１０ｂは、仮想空間参加者Ｓによって、仮想空間ｎへの入場を要求する入場操作が行われると（ステップ２２）、記憶手段１４ｂに記憶されている端末識別情報Ｂを含む仮想空間ｎへの入場要求情報を管理装置８０に送信する（ステップ２３）。
管理装置８０は、携帯端末装置１０ｂから送信された端末識別情報Ｂを含む仮想空間ｎへの入場要求情報を受信すると（ステップ２４）、受信した端末識別情報Ｂが入場許可情報データベース９１に仮想空間ｎに対応する入場許可情報Ｎとして記憶されている端末識別情報（ＡあるいはＢ）と一致するか否かを判別する（ステップ２５）。そして、一致していることにより携帯端末装置１０ｂの仮想空間ｎへの入場を許可し、一致していないことにより入場を許可しない。
【００５１】
第６の実施の形態では、仮想空間ｎの開設者Ｋが用いる携帯端末装置１０ａは、携帯端末装置１０ａの端末識別情報Ａを仮想空間ｎの入場許可情報Ｎとして管理装置８０に送信する。また、仮想空間ｎの開設者Ｋが用いる携帯端末装置１０ａは、管理装置８０から認証情報Ｐｍを受信する。仮想空間ｎへの参加者Ｓが用いる携帯端末装置１０ｂは、携帯端末装置１０ａと携帯端末装置１０ｂとの間の近距離通信によって携帯端末装置１０ａから認証情報Ｐｍを受信し、受信した認証情報Ｐｍを用いて、携帯端末装置１０ｂの端末識別情報Ｂを仮想空間ｎの入場許可情報Ｎとして管理装置８０に送信する。そして、携帯端末装置１０ａは、携帯端末装置１０ａの端末識別情報Ａを用いて仮想空間ｎに入場することができ、携帯端末装置１０ｂは、携帯端末装置１０ｂの端末識別情報Ｂを用いて仮想空間ｎに入場することができる。すなわち、携帯端末装置１０ｂを用いる仮想空間参加者Ｓは、携帯端末装置１０ａを用いる仮想空間開設者Ｋと、互いに目で確認することができる距離まで接近し、携帯端末装置１０ａと携帯端末装置１０ｂとの間で情報（認証情報Ｐｍ）を近距離通信によって通信したことを条件に、携帯端末装置１０ｂの端末識別情報Ｂを仮想空間ｎの入場許可情報として登録することができ、端末識別情報Ｂを用いて仮想空間ｎに入場することができる。これにより、仮想空間ｎの開設者Ｋと実際に出会った者のみが仮想空間ｎへの参加者Ｓとして仮想空間ｎに入場することができるため、仮想空間ｎが出会い系サイト等として悪用されるのを防止することができる。また、仮想空間開設者Ａが用いる携帯端末装置１０ａおよび仮想空間参加者Ｂが用いる携帯端末装置１０ｂは、それぞれ自己の端末識別情報ＡおよびＢを仮想空間ｎの入場許可情報Ｎとして用いることができるため、管理装置８０や携帯端末装置１０ａ、１０ｂの処理が簡単となる。また、近距離通信によって管理装置８０によって発行された認証情報Ｐｍを送信するため、仮想空間開設者と実際に出会っていない者に入場許可情報が漏洩する虞がない。
なお、本実施の形態では、管理装置８０の認証情報Ｐｍに代えて携帯端末装置１０ａの認証情報Ｐａを用いることもできる。
また、携帯端末装置１０ａや携帯端末装置１０ｂで用いる入場許可情報としては、携帯端末装置１０ａの端末識別情報Ａや携帯端末装置１０ｂの端末識別情報Ｂに限定されず、携帯端末装置１０ａや携帯端末装置１０ｂそれぞれで設定された情報を用いることができる。
【００５２】
本発明は、仮想空間への入場が許可されている一つの携帯端末装置１０ａ以外の他の携帯端末装置は、少なくとも、一つの携帯端末装置との間で、通信相手を目で確認することができる通信距離で近距離通信を行わないと、仮想空間への入場が許可されないように構成されていればよい。
一つの携帯端末装置としては、典型的には、仮想空間ｎを開設した開設者が用いる携帯端末装置が対応し、他の携帯端末装置は、仮想空間ｎへの参加者が用いる携帯端末装置が対応する。このように構成することにより、仮想空間ｎを開設した開設者と実際に出会っていない者は仮想空間ｎに入場することができないため、仮想空間ｎが、出会い系サイト等として悪用されるのを防止することができる。
「一つの携帯端末装置以外の他の携帯端末装置は、一つの携帯端末装置との間で近距離通信を行わないと仮想空間への入場が許可されない」構成の一つの態様としては、例えば、「他の携帯端末装置は、一つの携帯端末装置との間での近距離通信によって一つの携帯端末装置から受信した情報を用いて、管理用記憶装置に仮想空間に対応して記憶されている入場許可情報を受信し、受信した入場許可情報を用いて仮想空間に入場するように構成する」態様を用いることができる。「近距離通信によって一つの携帯端末装置から受信する情報」としては、例えば、他の携帯端末装置が一つの携帯端末装置と近距離通信を行ったことを確認することができる認証情報が用いられる。典型的には、一つの携帯端末装置あるいは管理装置によって発行された認証情報が用いられる。このように構成することにより、一つの携帯端末装置を用いるユーザと実際に会っていないユーザに、仮想空間の入場許可情報が漏洩する虞がない。
「一つの携帯端末装置以外の他の携帯端末装置は、一つの携帯端末装置との間で近距離通信を行わないと仮想空間ｎへの入場が許可されない」構成の他の態様としては、例えば、「他の携帯端末装置は、一つの携帯端末装置との間での近距離通信によって伝送され、管理用記憶装置に仮想空間に対応する入場許可情報として記憶される情報を用いて仮想空間に入場するように構成する」態様を用いることができる。このように構成することにより、携帯端末装置の処理が簡単となる。
【００５３】
本発明は、実施の形態で説明した構成に限定されず、種々の変更、追加、削除が可能である。
携帯端末装置１０ａ、１０ｂと仮想空間を管理している管理装置（サーバ）８０との間の通信回線は、図１に示した通信回線に限定されず、種々の構成の通信回線を用いることができる。
携帯端末装置１０ａ、１０ｂ、管理装置８０の動作は図２〜図１３に示されている実施の形態の動作に限定されない。例えば、処理の内容や、処理の順番は適宜変更可能である。
実施の形態で説明した各構成は、単独で用いることもできるし、適宜選択した複数を組み合わせて構成することもできる。
携帯端末装置１０ａ、１０ｂは、携帯電話機や携帯情報端末機に限定されず、携帯無線通信装置を用いて通信を行うことができる種々の端末装置を包含する。
【図面の簡単な説明】
【００５４】
【図１】第１の実施の形態の概略構成図である。
【図２】第１の実施の形態の動作を説明する図である。
【図３】第１の実施の形態の概要を説明する図である。
【図４】第２の実施の形態の動作を説明する図である。
【図５】第２の実施の形態の概要を説明する図である。
【図６】第３の実施の形態の動作を説明する図である。
【図７】第３の実施の形態の概要を説明する図である。
【図８】第４の実施の形態の動作を説明する図である。
【図９】第４の実施の形態の概要を説明する図である。
【図１０】第５の実施の形態の動作を説明する図である。
【図１１】第５の実施の形態の概要を説明する図である。
【図１２】第６の実施の形態の動作を説明する図である。
【図１３】第６の実施の形態の概要を説明する図である。
【符号の説明】
【００５５】
１０ａ、１０ｂ  携帯端末装置
１１ａ、１１ｂ  携帯用処理手段
１２ａ、１２ｂ  表示手段
１３ａ、１３ｂ  入力手段
１４ａ、１４ｂ  記憶手段
１５ａ、１５ｂ  端末用携帯無線通信手段（第１の通信手段）
１６ａ、１６ｂ  アンテナ
１７ａ、１７ｂ  近距離通信手段（第２の通信手段）
１８ａ、１８ｂ  送受信部
３０ａ、３０ｂ  基地局
３１ａ、３１ｂ  基地局用携帯無線通信手段
３２ａ、３２ｂ  アンテナ
６０  制御局
８０  管理装置
８１  管理用処理手段
８２  認証手段
９０  記憶装置
９１  入場許可情報データベース
【図１】
2009146139.tif 000003
【図２】
2009146139.tif 000004
【図３】
2009146139.tif 000005
【図４】
2009146139.tif 000006
【図５】
2009146139.tif 000007
【図６】
2009146139.tif 000008
【図７】
2009146139.tif 000009
【図８】
2009146139.tif 000010
【図９】
2009146139.tif 000011
【図１０】
2009146139.tif 000012
【図１１】
2009146139.tif 000013
【図１２】
2009146139.tif 000014
【図１３】
2009146139.tif 000015